(57)【要約】【課題】スマートフォン１１Ａの利用者が各種のキャンペーンに円滑かつ迅速に応募することができるキャンペーン応募システムを提供する。【解決手段】キャンペーン応募システム１０において、スマートフォン１１Ａが、レシートの撮影時に撮影アドバイスを出力する撮影アドバイス出力手段と、撮影されたレシートのレシート画像データをサーバに送信するレシート画像データ送信手段とを有し、サーバ１４が、送信されたレシート画像データに含まれるレシート表示項目とキャンペーンの参加に必要なレシート必要項目とを比較するレシート必要項目第１比較手段と、レシート表示項目がレシート必要項目に該当する場合、各レシート表示項目が含まれるレシート画像データを記憶するレシート画像データ記憶手段と、キャンペーンにおけるレシート受付メッセージをスマートフォン１１Ａに送信する受付メッセージ送信手段とを有する。【選択図】図１
2016057676.tif 000002
【特許請求の範囲】
【請求項１】
不特定多数の利用者が所持する多機能携帯端末と、前記多機能携帯端末がネットワークを介して接続可能であって各種のキャンペーンサイトを管理するサーバとから形成され、
前記多機能携帯端末が、商品の購入または役務の提供によって各店舗のキャッシュレジスターから発行されたレシートの撮影時に、前記レシートの撮影手順と該レシートの撮影条件との少なくとも一方の撮影アドバイスを出力する撮影アドバイス出力手段と、前記多機能携帯端末の撮影機能を利用して撮影された前記レシートのレシート画像データを前記ネットワークを介して前記サーバに送信するレシート画像データ送信手段とを有し、
前記サーバが、前記多機能携帯端末から送信されたレシート画像データに含まれるレシート表示項目と前記キャンペーンサイトにおけるキャンペーンの参加に必要なレシート必要項目とを比較するレシート必要項目第１比較手段と、前記レシート必要項目第１比較手段によって前記レシート表示項目と前記レシート必要項目とを比較した結果、前記レシート表示項目が前記レシート必要項目に該当する場合、前記レシート必要項目に該当した各レシート表示項目が含まれるレシート画像データを各多機能携帯端末毎に区分して記憶するレシート画像データ記憶手段と、前記キャンペーンにおけるレシート受付メッセージを前記多機能携帯端末に送信する受付メッセージ送信手段とを有することを特徴とするキャンペーン応募システム。
【請求項２】
前記多機能携帯端末が、前記レシートの撮影後に、前記レシート画像データの画像適合と画像不適合とのいずれか一方の撮影結果を出力する撮影結果出力手段と、前記画像適合のレシート画像データの前記サーバへの送信を指示するメッセージを出力するメッセージ第１出力とを含む請求項１に記載のキャンペーン応募システム。
【請求項３】
前記多機能携帯端末が、前記レシートの撮影時に、該レシートに対して該多機能携帯端末の焦点が合わない場合、該多機能携帯端末のシャッタを切ることを不能にするシャッタ操作不能手段を含む請求項１または請求項２に記載のキャンペーン応募システム。
【請求項４】
前記多機能携帯端末が、長尺の前記レシートの撮影時に、該長尺のレシートの長さ方向への分割撮影を指示する分割撮影指示手段と、前記分割撮影指示手段によって分割して撮影された複数のレシート画像データを長さ方向へつなげ、前記長尺のレシートのレシート画像データに編集するレシート画像データ編集手段とを含み、前記レシート画像データ送信手段では、前記レシート画像データ編集手段によって編集された長尺のレシートのレシート画像データを前記サーバに送信する請求項１ないし請求項３いずれかに記載のキャンペーン応募システム。
【請求項５】
前記多機能携帯端末が、前記キャンペーンサイトにおけるキャンペーンの参加に必要なレシート必要項目を記憶するレシート必要項目記憶手段と、撮影されたレシート画像データに含まれるレシート表示項目と前記レシート必要項目記憶手段によって記憶したレシート必要項目とを比較するレシート必要項目第２比較手段と、前記レシート必要項目第２比較手段によって前記レシート表示項目と前記レシート必要項目とを比較した結果、前記レシート表示項目が前記レシート必要項目に該当する場合、比較対象のレシート画像データの前記サーバへの送信を指示するメッセージを出力するメッセージ第２出力を含む請求項１ないし請求項４いずれかに記載のキャンペーン応募システム。
【請求項６】
前記レシート必要項目第２比較手段では、前記レシート表示項目が前記レシート必要項目に６０％以上一致した場合、前記レシート表示項目が前記レシート必要項目に該当すると判断する請求項５に記載のキャンペーン応募システム。
【請求項７】
前記多機能携帯端末が、前記サーバに送信したレシート画像データを記憶するレシート画像データ記憶手段と、前記レシート画像データ記憶手段によって記憶したレシート画像データとあらたに撮影されたレシートのレシート画像データとを比較するレシート画像データ比較手段と、前記レシート画像データ比較手段によってそれらレシート画像データを比較した結果、それらレシート画像データに含まれるレシート表示項目が一致した場合、レシート重複メッセージを出力するレシート重複メッセージ出力手段とを含む請求項１ないし請求項６いずれかに記載のキャンペーン応募システム。
【請求項８】
前記レシート画像データ比較手段では、あらたに撮影されたレシートのレシート画像データのレシート表示項目が前記レシート画像データ記憶手段によって記憶したレシート画像データのレシート表示項目に６０％以上一致した場合、それらレシート表示項目どうしが一致すると判断する請求項７に記載のキャンペーン応募システム。
【請求項９】
前記多機能携帯端末が、前記キャンペーンサイトにおけるキャンペーン対象商品の購入金額またはキャンペーン対象役務の提供金額のキャンペーンポイントへの換算に必要なポイント換算情報を記憶し、または、該キャンペーンサイトにおけるキャンペーン対象商品の購入数またはキャンペーン対象役務の提供数のキャンペーンポイントへの換算に必要なポイント換算情報を記憶するポイント換算情報記憶手段と、前記ポイント換算情報を利用して前記キャンペーン対象商品の購入金額または前記キャンペーン対象役務の提供金額をキャンペーンポイントに換算し、または、該ポイント換算情報を利用して該キャンペーン対象商品の購入数または該キャンペーン対象役務の提供数をキャンペーンポイントに換算するキャンペーンポイント換算手段と、前記キャンペーンポイント換算手段によって換算したキャンペーンポイントを出力するキャンペーンポイント出力手段とを含む請求項１ないし請求項８いずれかに記載のキャンペーン応募システム。
【請求項１０】
前記多機能携帯端末が、前記キャンペーンサイトにおけるキャンペーン対象商品の購入金額またはキャンペーン対象役務の提供金額に対するキャンペーンの応募口数を判断する応募口数判断情報を記憶し、または、該キャンペーンサイトにおけるキャンペーン対象商品の購入数またはキャンペーン対象役務の提供数に対するキャンペーンの応募口数を判断する応募口数判断情報を記憶する応募口数判断情報記憶手段と、前記応募口数判断情報を利用して前記キャンペーン対象商品の購入金額または前記キャンペーン対象役務の提供金額に対するキャンペーンの応募口数を割り出し、または、該応募口数判断情報を利用して該キャンペーン対象商品の購入数または該キャンペーン対象役務の提供数に対するキャンペーンの応募口数を割り出す応募口数割出手段と、前記応募口数割出手段によって割り出した応募口数を出力する応募口数出力とを含む請求項１ないし請求項９いずれかに記載のキャンペーン応募システム。
【請求項１１】
前記多機能携帯端末が、各キャンペーンサイトにおけるキャンペーン対象商品の累計購入金額またはキャンペーン対象役務の累計提供金額を算出する累計金額算出手段と、前記累計金額算出手段によって算出したキャンペーン対象商品の累計購入金額またはキャンペーン対象役務の累計提供金額を出力する累計額出力手段と、各キャンペーンサイトにおけるキャンペーン対象商品の累計購入数またはキャンペーン対象役務の累計提供数を算出する累計数算出手段と、前記累計数算出手段によって算出したキャンペーン対象商品の累計購入数またはキャンペーン対象役務の累計提供数を出力する累計数出力手段とを含む請求項１ないし請求項１０いずれかに記載のキャンペーン応募システム。
【請求項１２】
前記レシート表示項目には、前記レシート画像データに含まれる店舗の電話番号、前記レシート画像データに含まれる商品購入日時または役務提供日時、前記レシート画像データに含まれる購入商品の商品名または提供役務の役務名が含まれ、前記レシート必要項目には、キャンペーンを実施している店舗の電話番号、キャンペーン実施期間、キャンペーン対象商品名またはキャンペーン対象役務名が含まれる請求項１１に記載のキャンペーン応募システム。
【請求項１３】
前記レシート表示項目には、前記レシート画像データに含まれる商品の販売チャンネルまたは役務の提供チャンネル、前記レシート画像データに含まれる店舗の名称、前記レシート画像データに含まれる店舗の住所が含まれ、前記レシート必要項目には、商品の販売チャンネルまたは役務の提供チャンネル、キャンペーンを実施している店舗の名称、キャンペーンを実施している店舗の住所が含まれる請求項１２に記載のキャンペーン応募システム。
【請求項１４】
前記レシート画像データには、電子マネー利用データまたはクレジット利用データが含まれる請求項１２ないし請求項１３いずれかに記載のキャンペーン応募システム。
【請求項１５】
前記ポイント換算情報が、１ポイントに対応する購入商品の購入金額または提供役務の提供金額であり、または、１ポイントに対応する購入商品の購入数または提供役務の提供数である請求項１２ないし請求項１４いずれかに記載のキャンペーン応募システム。
【請求項１６】
前記応募口数判断情報が、１口に対応する購入商品の購入金額または提供役務の提供金額であり、または、１口に対応する購入商品の購入数または提供役務の提供数である請求項１２ないし請求項１５いずれかに記載のキャンペーン応募システム。
【請求項１７】
前記サーバが、前記多機能携帯端末に所定の時間間隔で各種キャンペーンサイトにおける最新のキャンペーン情報を送信するキャンペーン情報送信手段を含む請求項１ないし請求項１６いずれかに記載のキャンペーン応募システム。
【発明の詳細な説明】
【技術分野】
【０００１】
本発明は、キャッシュレジスターから発行されたレシートを利用し、キャンペーンへの応募を受け付けるキャンペーン応募システムに関する。
【背景技術】
【０００２】
購入品を撮影した購入品画像データおよび撮影条件データを電子メールで送信する携帯電話と、受信した電子メールの購入品画像データを画像認識サーバ装置に送信して画像識別情報を受け取り、画像識別情報および撮影条件データを応募判定サーバ装置に送信して応募判定報告を受けとるとともに、応募結果の電子メールを作成して携帯電話に送信する受付サーバ装置と、電子メールの購入品画像データを受け取って画像識別情報を返信する画像認識サーバ装置と、受信した撮影条件データと画像識別情報が記憶された応募履歴データの画像識別情報と撮影条件データと比較して一致すれば不正応募と判定する応募判定サーバ装置とを有する応募管理システムが開示されている（特許文献１参照）。この応募管理システムは、キャンペーン参加受付において、携帯電話を使用して撮影した購入品画像データを電子メールで受け付け、正当応募か不正応募かを判定することで、キャンペーンへの二重応募を防止する。
【先行技術文献】
【特許文献】
【０００３】
【特許文献１】特開２００８−２４２８９１号公報
【発明の概要】
【発明が解決しようとする課題】
【０００４】
前記特許文献１に開示の応募管理システムは、携帯電話による購入品の撮影時に撮影手順や撮影条件のアドバイスがなく、さらに、携帯電話によって撮影された購入品の購入品画像データに対するチェック機能がないから、不鮮明な購入品画像データや余分な画像を含む購入品画像データが画像認識サーバ装置に送信され、画像認識サーバ装置において購入品画像データの判別が不能になる場合があり、携帯電話の利用者がキャンペーンに円滑かつ迅速に応募することができない場合がある。
【０００５】
なお、商品の販売促進または役務の提供促進として、各種複数のマストバイキャンペーンが実施されている。マストバイキャンペーンの一例としては、店舗に設置されたキャッシュレジスター（ＰＯＳレジ）を利用し、キャッシュレジスターから直接キャンペーンの主催者にキャンペーン参加者やキャンペーン対象商品、キャンペーン対象商品購入額等のキャンペーンデータが送信されるＰＯＳレジ利用マストバイキャンペーンがある。ＰＯＳレジ利用マストバイキャンペーンは、キャッシュレジスターにサーバ等のネットワーク構成機器を接続しなければ展開できず、広範囲の地域においてキャンペーンを実施することが難しいのみならず、キャッシュレジスターにおいてキャンペーン対象商品の宣伝を十分に行うことができないから、商品の販売を促進することができない。また、キャンペーンの告知をポスター等を利用して大々的に行わなければならず、その告知にコストがかかり、キャンペーンを廉価に実施することができない。
【０００６】
また、マストバイキャンペーンの他の一例としては、シリアル番号を印刷したキャンペーンシールを商品に貼付し、商品の購入者がキャンペーンシールのシリアル番号を携帯電話からキャンペーンの主催者に送信するシリアル番号送信マストバイキャンペーンがある。シリアル番号送信マストバイキャンペーンは、キャンペーンシールにシリアル番号を印刷するとともに、そのシールを各商品に貼付品けれればならず、ＰＯＳレジ利用マストバイキャンペーンと同様に、キャンペーンの実施にコストがかかり、キャンペーンを廉価に実施することができない。
【０００７】
本発明の目的は、多機能携帯端末の利用者が各種のキャンペーンに円滑かつ迅速に応募することができるキャンペーン応募システムを提供することにある。本発明の他の目的は、広範囲の地域においてキャンペーンを実施することができ、キャンペーンを廉価に実施することができるキャンペーン応募システムを提供することにある。本発明の他の目的は、商品の販売を促進することができるとともに、役務の提供を促進することができるキャンペーン応募システムを提供することにある。
【課題を解決するための手段】
【０００８】
前記課題を解決するための本発明にかかるキャンペーン応募システムは、不特定多数の利用者が所持する多機能携帯端末と、多機能携帯端末がネットワークを介して接続可能であって各種のキャンペーンサイトを管理するサーバとから形成され、多機能携帯端末が、商品の購入または役務の提供によって各店舗のキャッシュレジスターから発行されたレシートの撮影時に、レシートの撮影手順とレシートの撮影条件との少なくとも一方の撮影アドバイスを出力する撮影アドバイス出力手段と、多機能携帯端末の撮影機能を利用して撮影されたレシートのレシート画像データをネットワークを介してサーバに送信するレシート画像データ送信手段とを有し、サーバが、多機能携帯端末から送信されたレシート画像データに含まれるレシート表示項目とキャンペーンサイトにおけるキャンペーンの参加に必要なレシート必要項目とを比較するレシート必要項目第１比較手段と、レシート必要項目第１比較手段によってレシート表示項目とレシート必要項目とを比較した結果、レシート表示項目がレシート必要項目に該当する場合、レシート必要項目に該当した各レシート表示項目が含まれるレシート画像データを各多機能携帯端末毎に区分して記憶するレシート画像データ記憶手段と、キャンペーンにおけるレシート受付メッセージを多機能携帯端末に送信する受付メッセージ送信手段とを有することを特徴とする。
【０００９】
本発明のキャンペーン応募システムの一例としては、多機能携帯端末が、レシートの撮影後に、レシート画像データの画像適合と画像不適合とのいずれか一方の撮影結果を出力する撮影結果出力手段と、画像適合のレシート画像データのサーバへの送信を指示するメッセージを出力するメッセージ第１出力とを含む。
【００１０】
本発明のキャンペーン応募システムの他の一例としては、多機能携帯端末が、レシートの撮影時に、レシートに対して多機能携帯端末の焦点が合わない場合、多機能携帯端末のシャッタを切ることを不能にするシャッタ操作不能手段を含む。
【００１１】
本発明のキャンペーン応募システムの他の一例としては、多機能携帯端末が、長尺のレシートの撮影時に、長尺のレシートの長さ方向への分割撮影を指示する分割撮影指示手段と、分割撮影指示手段によって分割して撮影された複数のレシート画像データを長さ方向へつなげ、長尺のレシートのレシート画像データに編集するレシート画像データ編集手段とを含み、レシート画像データ送信手段では、レシート画像データ編集手段によって編集された長尺のレシートのレシート画像データをサーバに送信する。
【００１２】
本発明のキャンペーン応募システムの他の一例としては、多機能携帯端末が、キャンペーンサイトにおけるキャンペーンの参加に必要なレシート必要項目を記憶するレシート必要項目記憶手段と、撮影されたレシート画像データに含まれるレシート表示項目とレシート必要項目記憶手段によって記憶したレシート必要項目とを比較するレシート必要項目第２比較手段と、レシート必要項目第２比較手段によってレシート表示項目とレシート必要項目とを比較した結果、レシート表示項目がレシート必要項目に該当する場合、比較対象のレシート画像データのサーバへの送信を指示するメッセージを出力するメッセージ第２出力を含む。
【００１３】
本発明のキャンペーン応募システムの他の一例として、レシート必要項目第２比較手段では、レシート表示項目がレシート必要項目に６０％以上一致した場合、レシート表示項目がレシート必要項目に該当すると判断する。
【００１４】
本発明のキャンペーン応募システムの他の一例としては、多機能携帯端末が、サーバに送信したレシート画像データを記憶するレシート画像データ記憶手段と、レシート画像データ記憶手段によって記憶したレシート画像データとあらたに撮影されたレシートのレシート画像データとを比較するレシート画像データ比較手段と、レシート画像データ比較手段によってそれらレシート画像データを比較した結果、それらレシート画像データに含まれるレシート表示項目が一致した場合、レシート重複メッセージを出力するレシート重複メッセージ出力手段とを含む。
【００１５】
本発明のキャンペーン応募システムの他の一例として、レシート画像データ比較手段では、あらたに撮影されたレシートのレシート画像データのレシート表示項目がレシート画像データ記憶手段によって記憶したレシート画像データのレシート表示項目に６０％以上一致した場合、それらレシート表示項目どうしが一致すると判断する。
【００１６】
本発明のキャンペーン応募システムの他の一例としては、多機能携帯端末が、キャンペーンサイトにおけるキャンペーン対象商品の購入金額またはキャンペーン対象役務の提供金額のキャンペーンポイントへの換算に必要なポイント換算情報を記憶し、または、キャンペーンサイトにおけるキャンペーン対象商品の購入数またはキャンペーン対象役務の提供数のキャンペーンポイントへの換算に必要なポイント換算情報を記憶するポイント換算情報記憶手段と、ポイント換算情報を利用してキャンペーン対象商品の購入金額またはキャンペーン対象役務の提供金額をキャンペーンポイントに換算し、または、ポイント換算情報を利用してキャンペーン対象商品の購入数またはキャンペーン対象役務の提供数をキャンペーンポイントに換算するキャンペーンポイント換算手段と、キャンペーンポイント換算手段によって換算したキャンペーンポイントを出力するキャンペーンポイント出力手段とを含む。
【００１７】
本発明のキャンペーン応募システムの他の一例としては、多機能携帯端末が、キャンペーンサイトにおけるキャンペーン対象商品の購入金額またはキャンペーン対象役務の提供金額に対するキャンペーンの応募口数を判断する応募口数判断情報を記憶し、または、キャンペーンサイトにおけるキャンペーン対象商品の購入数またはキャンペーン対象役務の提供数に対するキャンペーンの応募口数を判断する応募口数判断情報を記憶する応募口数判断情報記憶手段と、応募口数判断情報を利用してキャンペーン対象商品の購入金額またはキャンペーン対象役務の提供金額に対するキャンペーンの応募口数を割り出し、または、応募口数判断情報を利用してキャンペーン対象商品の購入数またはキャンペーン対象役務の提供数に対するキャンペーンの応募口数を割り出す応募口数割出手段と、応募口数割出手段によって割り出した応募口数を出力する応募口数出力とを含む。
【００１８】
本発明のキャンペーン応募システムの他の一例としては、多機能携帯端末が、各キャンペーンサイトにおけるキャンペーン対象商品の累計購入金額またはキャンペーン対象役務の累計提供金額を算出する累計金額算出手段と、累計金額算出手段によって算出したキャンペーン対象商品の累計購入金額またはキャンペーン対象役務の累計提供金額を出力する累計額出力手段と、各キャンペーンサイトにおけるキャンペーン対象商品の累計購入数またはキャンペーン対象役務の累計提供数を算出する累計数算出手段と、累計数算出手段によって算出したキャンペーン対象商品の累計購入数またはキャンペーン対象役務の累計提供数を出力する累計数出力手段とを含む。
【００１９】
本発明のキャンペーン応募システムの他の一例として、レシート表示項目には、レシート画像データに含まれる店舗の電話番号、レシート画像データに含まれる商品購入日時または役務提供日時、レシート画像データに含まれる購入商品の商品名または提供役務の役務名が含まれ、レシート必要項目には、キャンペーンを実施している店舗の電話番号、キャンペーン実施期間、キャンペーン対象商品名またはキャンペーン対象役務名が含まれる。
【００２０】
本発明のキャンペーン応募システムの他の一例として、レシート表示項目には、レシート画像データに含まれる商品の販売チャンネルまたは役務の提供チャンネル、レシート画像データに含まれる店舗の名称、レシート画像データに含まれる店舗の住所が含まれ、レシート必要項目には、商品の販売チャンネルまたは役務の提供チャンネル、キャンペーンを実施している店舗の名称、キャンペーンを実施している店舗の住所が含まれる。
【００２１】
本発明のキャンペーン応募システムの他の一例として、レシート画像データには、電子マネー利用データまたはクレジット利用データが含まれる。
【００２２】
本発明のキャンペーン応募システムの他の一例としては、ポイント換算情報が、１ポイントに対応する購入商品の購入金額または提供役務の提供金額であり、または、１ポイントに対応する購入商品の購入数または提供役務の提供数である。
【００２３】
本発明のキャンペーン応募システムの他の一例としては、応募口数判断情報が、１口に対応する購入商品の購入金額または提供役務の提供金額であり、または、１口に対応する購入商品の購入数または提供役務の提供数である。
【００２４】
本発明のキャンペーン応募システムの他の一例としては、サーバが多機能携帯端末に所定の時間間隔で各種キャンペーンサイトにおける最新のキャンペーン情報を送信するキャンペーン情報送信手段を含む。
【発明の効果】
【００２５】
本発明にかかるにかかるキャンペーン応募システムによれば、多機能携帯端末がレシートの撮影時にその撮影手順とその撮影条件との少なくとも一方の撮影アドバイスを出力するから、多機能携帯端末の利用者がレシートを正確に撮影することができ、不鮮明なレシート画像データ、影や異物等の余分な画像を含むレシート画像データ、必要なレシート表示項目が含まれないレシート画像データ、レシートの一部が欠落しているレシート画像データ等の不適合なレシート画像データがサーバに送信されることはなく、利用者がレシートを利用して各種のキャンペーンに円滑かつ迅速に応募することができる。キャンペーン応募システムは、キャッシュレジスターから発行されたレシートのレシート画像データを多機能携帯端末からサーバに送信することで、キャンペーンに応募することができるから、キャッシュレジスター（ＰＯＳレジ）にネットワーク構成機器を接続することなくキャンペーンを展開することができ、ネットワーク環境を利用して広範囲の地域でキャンペーンを実施することができる。キャンペーン応募システムは、シリアル番号を印刷したキャンペーンシールを商品に貼付する手間や時間、コストを省くことができ、キャンペーンを廉価に実施することができる。キャンペーン応募システムは、シリアル番号を印刷したキャンペーンシールを商品に貼付する手間や時間、コストを省くことができ、キャンペーンを廉価に実施することができる。キャンペーン応募システムは、多機能携帯端末がレシート画像データに含まれるレシート表示項目とレシート必要項目とを比較し、レシート表示項目がレシート必要項目に該当する場合、レシート画像データのサーバへの送信を可能にするから、多機能携帯端末の利用者がキャッシュレジスターから発行されたレシートを利用してキャンペーンに簡単に応募することができ、保有する多機能携帯端末を利用して利用者がキャンペーンに気軽に参加することができる。
【００２６】
多機能携帯端末がレシートの撮影後にレシート画像データの画像適合と画像不適合とのいずれか一方の撮影結果を出力し、画像適合のレシート画像データのサーバへの送信を指示するメッセージを出力するキャンペーン応募システムは、多機能携帯端末においてレシート画像データの適合と不適合を判断し、適合と判断した場合にレシート画像データのサーバへの送信を指示するメッセージを出力するから、不鮮明なレシート画像データ、影や異物等の余分な画像を含むレシート画像データ、必要なレシート表示項目が含まれないレシート画像データ、レシートの一部が欠落しているレシート画像データ等の不適合なレシート画像データがサーバに送信されることはなく、利用者がレシートを利用して各種のキャンペーンに円滑かつ迅速に応募することができる。キャンペーン応募システムは、多機能携帯端末において適合と判断されたレシート画像データのみがサーバに送信されるから、サーバにおけるレシート画像データの判別不能を防ぐことができ、多機能携帯端末およびサーバを利用してキャンペーンをミスなく円滑に実施することができる。
【００２７】
多機能携帯端末がレシートの撮影時にレシートに対して多機能携帯端末の焦点が合わない場合、多機能携帯端末のシャッタを切ることを不能にするキャンペーン応募システムは、多機能携帯端末の焦点が合わない場合にシャッタを切ることができないから、ピントが合わないぼけたレシート画像データが撮影されることはなく、鮮明なレシート画像データがサーバに送信され、利用者がレシートを利用して各種のキャンペーンに円滑かつ迅速に応募することができるとともに、サーバにおいてレシート画像データが確実かつ迅速に判別可能となり、多機能携帯端末およびサーバを利用してキャンペーンをミスなく円滑に実施することができる。
【００２８】
多機能携帯端末が長尺のレシートの撮影時に長尺のレシートの長さ方向への分割撮影を指示し、分割して撮影された複数のレシート画像データを長さ方向へつなげて長尺のレシートのレシート画像データに編集しつつ、編集された長尺のレシートのレシート画像データをサーバに送信するキャンペーン応募システムは、多量の商品購入や役務提供によってレシートが長尺になり、１枚のレシート画像データに納まらない場合でも、多機能携帯端末が複数に分割して撮影されたレシートのレシート画像データを１つにつなげて長尺のレシートのレシート画像データに編集し、そのレシート画像データをサーバに送信するから、長尺のレシートにおけるキャンペーンへの応募を可能にすることができる。キャンペーン応募システムは、長尺のレシートにおいて１回の送信でキャンペーンに応募することができ、レシート画像データをサーバに複数回送信する必要はなく、キャンペーンへの応募の手間を省くことができる。
【００２９】
多機能携帯端末がキャンペーンの参加に必要なレシート必要項目を記憶し、レシート画像データに含まれるレシート表示項目とレシート必要項目とを比較しつつ、レシート表示項目がレシート必要項目に該当する場合、比較対象のレシート画像データのサーバへの送信を指示するメッセージを出力するキャンペーン応募システムは、多機能携帯端末において応募対象のレシートとそれ以外のレシートとを判別するから、利用者が多機能携帯端末を介してキャンペーン対象商品やキャンペーン対象役務であること等を知ることができ、利用者がキャンペーンへの応募の可否を迅速に知ることができる。キャンペーン応募システムは、利用者が多機能携帯端末を介してキャンペーン対象商品やキャンペーン対象役務でないこと等を知ることができるから、キャンペーン対象商品やキャンペーン対象役務以外の商品や役務のレシート画像データのサーバへの誤送信を防ぐことができ、多機能携帯端末およびサーバを利用してキャンペーンをミスなく円滑に実施することができる。
【００３０】
レシート表示項目がレシート必要項目に６０％以上一致した場合、レシート表示項目がレシート必要項目に該当すると判断するキャンペーン応募システムは、レシート表示項目がレシート必要項目に完全一致しなくても、６０％以上一致していれば、レシート表示項目がレシート必要項目に該当すると判断することで、カタカナの読み違いや濁音の読み違いによるキャンペーン対象商品やキャンペーン対象役務のキャンペーンへのエントリー漏れを防ぐことができる。
【００３１】
多機能携帯端末がサーバに送信したレシート画像データを記憶し、記憶したレシート画像データとあらたに撮影されたレシートのレシート画像データとを比較しつつ、それらレシート画像データに含まれるレシート表示項目が一致した場合、レシート重複メッセージを出力するキャンペーン応募システムは、同一のレシートによる二重応募を防ぐことができ、キャンペーンを公平に実施することができる。キャンペーン応募システムは、レシート表示項目が一致した場合、レシート重複メッセージを多機能携帯端末が出力するから、利用者が多機能携帯端末を介して二重応募を知ることができ、同一のレシートのレシート画像データのサーバへの誤送信を防ぐことができる。
【００３２】
あらたに撮影されたレシートのレシート画像データのレシート表示項目が記憶したレシート画像データのレシート表示項目に６０％以上一致した場合、それらレシート表示項目どうしが一致すると判断するキャンペーン応募システムは、レシート表示項目どうしが完全一致しなくても、６０％以上一致していれば、レシート表示項目どうしが一致すると判断することで、カタカナの読み違いや濁音の読み違いによる同一のレシートの二重応募を防ぐことができ、同一のレシートのレシート画像データのサーバへの誤送信を確実に防ぐことができる。
【００３３】
多機能携帯端末がポイント換算情報を利用してキャンペーン対象商品の購入金額またはキャンペーン対象役務の提供金額をキャンペーンポイントに換算し、または、ポイント換算情報を利用してキャンペーン対象商品の購入数またはキャンペーン対象役務の提供数をキャンペーンポイントに換算しつつ、キャンペーンポイントを出力するキャンペーン応募システムは、多機能携帯端末がキャンペーン対象商品の購入金額や購入数またはキャンペーン対象役務の提供金額や提供数に対応したキャンペーンポイントを算出するから、多機能携帯端末を介して正確なキャンペーンポイントを求めることができるとともに、多機能携帯端末がそのキャンペーンポイントを出力することで、利用者が多機能携帯端末を介して最新の正確なキャンペーンポイントをタイムリーに知ることができる。
【００３４】
多機能携帯端末が応募口数判断情報を利用してキャンペーン対象商品の購入金額またはキャンペーン対象役務の提供金額に対するキャンペーンの応募口数を割り出し、または、応募口数判断情報を利用してキャンペーン対象商品の購入数またはキャンペーン対象役務の提供数に対するキャンペーンの応募口数を割り出すとともに、割り出した応募口数を出力するキャンペーン応募システムは、多機能携帯端末がキャンペーン対象商品の購入金額や購入数またはキャンペーン対象役務の提供金額や提供数に対応したキャンペーンへの応募口数を算出するから、多機能携帯端末を介して正確な応募口数を求めることができるとともに、多機能携帯端末がその応募口数を出力することで、利用者が多機能携帯端末を介して最新の正確な応募口数をタイムリーに知ることができる。
【００３５】
多機能携帯端末がキャンペーン対象商品の累計購入金額や累計購入数またはキャンペーン対象役務の累計提供金額や累計提供数を算出し、キャンペーン対象商品の累計購入金額や累計購入数またはキャンペーン対象役務の累計提供金額や累計提供数を出力するキャンペーン応募システムは、多機能携帯端末がキャンペーン対象商品の累計購入金額や累計購入数またはキャンペーン対象役務の累計提供金額や累計提供数を算出するから、多機能携帯端末を介して正確な累計購入金額や累計購入数または正確な累計提供金額や累計提供数を求めることができるとともに、多機能携帯端末が累計購入金額や累計購入数または累計提供金額や累計提供数を出力することで、利用者が多機能携帯端末を介して最新の正確な累計購入金額や累計購入数または正確な累計提供金額や累計提供数をタイムリーに知ることができる。
【００３６】
レシート表示項目として、店舗の電話番号、商品購入日時または役務提供日時、購入商品の商品名または提供役務の役務名が含まれ、レシート必要項目として、キャンペーンを実施している店舗の電話番号、キャンペーン実施期間、キャンペーン対象商品名またはキャンペーン対象役務名が含まれるキャンペーン応募システムは、多機能携帯端末がレシート画像データに含まれる店舗の電話番号とあらかじめ記憶した店舗の電話番号とを比較することで、キャンペーンを実施している店舗か否かを確実に判断することができ、利用者がキャンペーンの実施店で購入した商品や提供された役務に対してキャンペーンへの応募を確実に行うことができる。キャンペーン応募システムは、多機能携帯端末がレシート画像データに含まれる商品購入日時または役務提供日時とあらかじめ記憶したキャンペーン実施期間と比較することで、キャンペーン実施期間中に購入された商品または提供された役務か否かを確実に判断することができ、利用者がキャンペーン実施期間内に購入した商品や提供された役務に対してキャンペーンへの応募を確実に行うことができる。キャンペーン応募システムは、多機能携帯端末がレシート画像データに含まれる商品名または役務名とあらかじめ記憶したキャンペーン対象商品名またはキャンペーン対象役務名とを比較することで、購入された商品または提供された役務がキャンペーン対象の商品または役務か否かを確実に判断することができ、利用者がキャンペーン対象商品やキャンペーン対象役務に対してキャンペーンへの応募を確実に行うことができる。
【００３７】
レシート表示項目として、商品の販売チャンネルまたは役務の提供チャンネル、店舗の名称、店舗の住所が含まれ、レシート必要項目として、商品の販売チャンネルまたは役務の提供チャンネル、キャンペーンを実施している店舗の名称、キャンペーンを実施している店舗の住所が含まれるキャンペーン応募システムは、多機能携帯端末がレシート画像データに含まれる商品の販売チャンネルまたは役務の提供チャンネルとあらかじめ記憶した商品の販売チャンネルまたは役務の提供チャンネルとを比較することで、商品の販売チャンネルまたは役務の提供チャンネルが一致するか否かを判断することができ、利用者がキャンペーンの実施チャンネルから販売または提供された商品や役務に対してキャンペーンへの応募を確実に行うことができる。キャンペーン応募システムは、多機能携帯端末がレシート画像データに含まれる店舗の名称とあらかじめ記憶した店舗の名称と比較することで、キャンペーンを実施している店舗か否かを確実に判断することができ、利用者がキャンペーンの実施店で購入した商品や提供された役務に対してキャンペーンへの応募を確実に行うことができる。キャンペーン応募システムは、多機能携帯端末がレシート画像データに含まれる店舗の住所とあらかじめ記憶した店舗の住所と比較することで、店舗の住所とキャンペーンの実施店舗の住所とが一致するか否かを判断することができ、利用者がキャンペーンの実施店で購入した商品や提供された役務に対してキャンペーンへの応募を確実に行うことができる。
【００３８】
レシート画像データとして、電子マネー利用データまたはクレジット利用データが含まれるキャンペーン応募システムは、電子マネー利用データまたはクレジット利用データが多機能携帯端末からサーバに送信されることで、キャンペーンの主催者が多機能携帯端末の利用者の電子マネー提供会社やクレジット会社、カード会社を知ることができる。キャンペーン応募システムは、キャンペーンの主催者とそれら会社とが共同して独自のキャンペーンを実施することができ、キャンペーンの主催者の商品の販売や役務の提供の増加を図ることができるとともに、それら会社の利用の販促を図ることができる。
【００３９】
ポイント換算情報が１ポイントに対応する購入商品の購入金額または提供役務の提供金額であり、または、１ポイントに対応する購入商品の購入数または提供役務の提供数であるキャンペーン応募システムは、多機能携帯端末がそれらポイント換算情報を利用してキャンペーン対象商品の購入金額や購入数またはキャンペーン対象役務の提供金額や提供数に対応したキャンペーンポイントを算出するから、多機能携帯端末を介して正確なキャンペーンポイントを求めることができるとともに、多機能携帯端末がそのキャンペーンポイントを出力することで、利用者が多機能携帯端末を介して最新の正確なキャンペーンポイントをタイムリーに知ることができる。
【００４０】
応募口数判断情報が１口に対応する購入商品の購入金額または提供役務の提供金額であり、または、１口に対応する購入商品の購入数または提供役務の提供数であるキャンペーン応募システムは、多機能携帯端末がそれら応募口数判断情報を利用してキャンペーン対象商品の購入金額や購入数またはキャンペーン対象役務の提供金額や提供数に対応したキャンペーンへの応募口数を算出するから、多機能携帯端末を介して正確な応募口数を求めることができるとともに、多機能携帯端末がその応募口数を出力することで、利用者が多機能携帯端末を介して最新の正確な応募口数をタイムリーに知ることができる。
【００４１】
サーバが多機能携帯端末に所定の時間間隔で各種キャンペーンサイトにおける最新のキャンペーン情報を送信するキャンペーン情報送信手段を含むキャンペーン応募システムは、利用者が多機能携帯端末を介して現在実施されている最新のキャンペーンの詳細な内容をタイムリーに知ることができる。たとえば、キャンペーン名称やキャンペーンの実施期間、キャンペーンを主催するチャンネル、キャンペーン実施店舗情報、キャンペーンの当選品、キャンペーンの当選品の個数、キャンペーン対象商品の種類、キャンペーン対象役務の種類、応募一口に対応する商品購入数、応募一口に対応する役務提供数、応募一口に対応する金額、金額に対応するキャンペーンポイント、キャンペーン対象商品や他の商品の詳細情報、キャンペーン対象役務や他の役務の詳細情報等を知ることができる。キャンペーン応募システムは、キャンペーンの主催者が最新のキャンペーン情報を利用して販売する商品や提供する役務をタイムリーに宣伝することができ、商品の販売を促進することができるとともに、役務の提供を促進することができる。
【図面の簡単な説明】
【００４２】
【図１】一例として示すキャンペーン応募システムの構成図。
【図２】キャンペーンサイト表示画面の一例を示す図。
【図３】キャンペーン応募画面の一例を示す図。
【図４】レシート撮影画面の一例を示す図。
【図５】撮影アドバイス画面の一例を示す図。
【図６】分割撮影指示画面の一例を示す図。
【図７】スマートフォンにおいて実施されるレシート判別手順の一例を示すフローチャート。
【図８】エラーメッセージ表示画面の一例を示す図。
【図９】エラーメッセージ表示画面の他の一例を示す図。
【図１０】エラーメッセージ表示画面の他の一例を示す図。
【図１１】レシート画像データ保存画面の一例を示す図。
【図１２】レシート画像データ送信画面の一例を示す図。
【図１３】送信完了画面の一例を示す図。
【図１４】キャンペーン応募画面の他の一例を示す図。
【図１５】キャンペーン応募状況画面の一例を示す図。
【図１６】サーバにおいて行われるレシート受付手順の一例を示すフローチャート。
【図１７】キャンペーン受付画面の一例を示す図。
【発明を実施するための形態】
【００４３】
一例として示すキャンペーン応募システム１０の構成図である図１等の添付の図面を参照し、本発明に係るキャンペーン応募システムの詳細を説明すると、以下のとおりである。図１では、３台のスマートフォン１１Ａ〜１１Ｃ（多機能携帯端末）や３台のタブレットＰＣ１２Ａ〜１２Ｃ（多機能携帯端末）、１台のサーバ１４を図示しているが、実際にはインターネット１３（ネットワーク）を介して接続される各種複数のサーバ１４が存在するとともに、インターネット１３を介して各サーバ１４へアクセス可能な無数のスマートフォン１１Ａ〜１１Ｃや無数のタブレットＰＣ１２Ａ〜１２Ｃが存在する。
【００４４】
なお、多機能携帯端末には携帯情報端末（ＰＤＡ）も含まれ、さらに、今後開発されるインターネット１３に接続可能であってカメラ機能（デジタル撮影機能）を有する全ての多機能携帯端末が含まれる。また、インターネット１３の他に、スマートフォン１１Ａ〜１１ＣやそれらタブレットＰＣ１２Ａ〜１２Ｃとサーバ１４とがＬＡＮやＷＡＮ等の他のネットワークによって接続される場合も含まれる。
【００４５】
キャンペーン応募システム１０は、不特定多数の利用者が所持する各種複数のスマートフォン１１Ａ〜１１Ｃ（各種複数の多機能携帯端末）や各種複数のタブレットＰＣ１２Ａ〜１２Ｃ（各種複数の多機能携帯端末）と、それらスマートフォン１１Ａ〜１１ＣやそれらタブレットＰＣ１２Ａ〜１２Ｃがインターネット１３を介してログイン可能なキャンペーンサイトを管理するサーバ１４とから形成されている。スマートフォン１１Ａ〜１１ＣやタブレットＰＣ１２Ａ〜１２Ｃは、それぞれ機種が異なるとともにそれを提供するキャリア（メーカー）が異なる。
【００４６】
スマートフォン１１Ａ〜１１ＣやタブレットＰＣ１２Ａ〜１２Ｃは、中央処理部（ＣＰＵまたはＭＰＵ）とメモリ（メインメモリおよびキャッシュメモリ）とを有して独立したオペレーティングシステム（ＯＳ）によって動作する物理的なコンピュータを内蔵し、大容量ハードディスクを実装している。スマートフォン１１Ａ〜１１ＣやタブレットＰＣ１２Ａ〜１２Ｃは、カメラ機能によって被写体をデジタル画像データ（静止画または動画）として撮影（取得）し、撮影した被写体の画像データをハードディスクに記憶することができる。
【００４７】
スマートフォン１１Ａ〜１１ＣやタブレットＰＣ１２Ａ〜１２Ｃのメインメモリには、キャンペーン応募システム１０の各手段を実行するキャンペーン応募アプリケーションが格納されている。キャンペーン応募アプリケーションは、サーバ１４に直接アクセスし、または、リンクを介して他のサーバからサーバ１４にアクセスした後、サーバ１４からダウンロードする。スマートフォン１１Ａ〜１１ＣやタブレットＰＣ１２Ａ〜１２Ｃのメインメモリには、ウェブブラウザおよび電子メールの送受信や電子メールの管理を行う電子メールクライアントが格納されている。
【００４８】
キャンペーン応募アプリケーションのダウンロードの他の一例としては、キャンペーン対象商品を購入した店舗やキャンペーン対象役務の提供を受けた店舗のキャンペーンポスターやキャンペーン広告、キャンペーンちらし等の告知媒体に表示されたＱＲコード（登録商標）をカメラ機能を利用して読み込む。ＱＲコード（登録商標）を読み込むと、そのＱＲコード（登録商標）に対応するキャンペーンのＵＲＬ（サーバ１４が管理するキャンペーンサイトのＵＲＬ）がスマートフォン１１Ａ〜１１ＣやタブレットＰＣ１２Ａ〜１２Ｃのタッチパネルに表示される。タッチパネルに表示されたＵＲＬをタップすると、スマートフォン１１Ａ〜１１ＣやタブレットＰＣ１２Ａ〜１２Ｃのウェブブラウザが起動してインターネット１３に接続され、スマートフォン１１Ａ〜１１ＣやタブレットＰＣ１２Ａ〜１２Ｃがサーバ１４に接続される。スマートフォン１１Ａ〜１１ＣやタブレットＰＣ１２Ａ〜１２Ｃがサーバ１４に接続された後、ダウンロード案内にしたがってアプリケーションをダウンロードする。
【００４９】
スマートフォン１１Ａ〜１１ＣやタブレットＰＣ１２Ａ〜１２Ｃは、ウェブブラウザを利用してインターネット１３に接続可能であり、インターネット１３を利用して不特定多数の他のサーバ（物理サーバや仮想サーバ）にアクセスかつログインすることができるとともに、インターネット１３において各種検索エンジンを利用することができる。スマートフォン１１Ａ〜１１ＣやタブレットＰＣ１２Ａ〜１２Ｃは、サーバ１４のＵＲＬを使用してサーバ１４にアクセスかつログインすることができるとともに、インターネット１３を利用して各種情報（文字データや画像データ）をサーバ１４を含む他の複数の外部サーバに提供することができ、インターネット１３を利用して各種情報をサーバ１４を含む他の複数の外部サーバから受け取ることができる。
【００５０】
スマートフォン１１Ａ〜１１ＣやタブレットＰＣ１２Ａ〜１２Ｃのハードディスクには、それらを特定する携帯端末特定情報が格納されている。携帯端末特定情報としては、スマートフォン１１Ａ〜１１ＣやタブレットＰＣ１２Ａ〜１２ＣのＩＰアドレスやＭＡＣアドレス、ＵＲＬ、メールアドレス、Ｃｏｏｋｉｅ情報、固体識別番号等を利用することができる他、スマートフォン１１Ａ〜１１ＣやタブレットＰＣ１２Ａ〜１２Ｃがそれらを識別するユニークな識別子を独自に生成し、生成した識別子を携帯端末特定情報とすることができる。
【００５１】
スマートフォン１１Ａ〜１１ＣやタブレットＰＣ１２Ａ〜１２Ｃのハードディスクには、それらを使用する権限を有する利用者の個人情報が格納される。個人情報としては、パスワードやＩＤ番号、端末利用者の氏名または名称（法人名や個人名）、住所または居所、電話番号、ＦＡＸ番号、年齢、性別、メールアドレス等がある。
【００５２】
利用者が各店舗（コンビニエンスストアやチェーン店、デパート等）おいて所定の商品を購入し、または、所定の役務（サービス）の提供を受けた場合、商品を販売し、または、役務を提供した店舗のキャッシュレジスター（ＰＯＳレジ）（図示せず）からレシートが発行される。キャンペーン応募システム１０では、利用者がスマートフォン１１Ａ〜１１ＣやタブレットＰＣ１２Ａ〜１２Ｃのカメラ機能を利用してキャッシュレジスターから発行されたレシートを撮影し、撮影したレシートのレシート画像データをサーバ１４が管理するキャンペーンサイトに送る。
【００５３】
スマートフォン１１Ａ〜１１ＣやタブレットＰＣ１２Ａ〜１２Ｃの中央処理部は、オペレーティングシステム（ＯＳ）による制御に基づいて、メモリに格納されたキャンペーン応募アプリケーションを起動し、そのアプリケーションに従って、以下の各手段を実行する。スマートフォン１１Ａ〜１１ＣやタブレットＰＣ１２Ａ〜１２Ｃの中央処理部は、サーバ１４から配信されたキャンペーン情報（過去のキャンペーン情報を含む）を受信し、受信したキャンペーン情報を対象商品特定情報や対象役務特定情報、キャンペーンサイト特定情報、キャンペーン特定情報、携帯端末特定情報に関連づけた状態でハードディスクに記憶するキャンペーン情報記憶手段（レシート必要項目記憶手段、ポイント換算情報記憶手段、応募口数判断情報記憶手段を含む）を実施する。さらに、受信したキャンペーン情報を出力するキャンペーン情報出力手段を実施する。
【００５４】
キャンペーン情報には、キャンペーンを主催するキャンペーン主催者（主催会社）のホームページに掲載されている各種情報、キャンペーンサイトを特定するキャンペーンサイト特定情報、キャンペーンを特定するキャンペーン特定情報、キャンペーンの具体的な実施方法や実施内容、実施期間、抽選日、当選品等のキャンペーン実施情報、キャンペーン対象商品を特定するキャンペーン対象商品情報、キャンペーン対象役務を特定するキャンペーン対象役務情報、レシートに表示された各種項目のうちのキャンペーンサイトにおけるキャンペーンの参加に必要な各キャンペーン毎のレシート必要項目情報、ポイント換算情報、応募口数判断情報がある。
【００５５】
キャンペーンサイト特定情報には、キャンペーンサイト名およびキャンペーンサイト識別コード等があり、キャンペーン特定情報には、キャンペーン名およびキャンペーン識別コード等がある。対象商品特定情報には、キャンペーン対象商品名およびキャンペーン対象商品識別コード等があり、対象役務特定情報には、キャンペーン対象役務名およびキャンペーン対象役務識別コード等がある。
【００５６】
レシート必要項目には、商品の販売チャンネルまたは役務の提供チャンネル、キャンペーンを実施している店舗の名称、キャンペーンを実施している店舗の住所、キャンペーンを実施している店舗の電話番号、キャンペーン実施期間、キャンペーン対象商品名またはキャンペーン対象役務名、キャンペーンに応募可能なキャンペーン対象商品の応募金額またはキャンペーン対象役務の応募金額、キャンペーンに応募可能なキャンペーン対象商品の必要購入数またはキャンペーン対象役務の必要提供数がある。
【００５７】
なお、それらの全てをレシート必要項目にする必要はなく、それらうちの少なくともキャンペーンを実施している店舗の電話番号、キャンペーン実施期間、キャンペーン対象商品名をレシート必要項目にすればよい。システム１０では、商品の販売チャンネル、店舗の名称（複数の店舗の各名称）、店舗の住所（複数の店舗の各住所）、店舗の電話番号（複数の店舗の各電話番号）、キャンペーン実施期間、キャンペーン対象商品名（複数種類のキャンペーン対象商品名）、キャンペーンに応募可能なキャンペーン対象商品の応募金額、キャンペーンに応募可能なキャンペーン対象商品の必要購入数をレシート必要項目とし、それらがスマートフォン１１Ａ〜１１ＣやタブレットＰＣ１２Ａ〜１２Ｃのハードディスクに格納されているものとする。
【００５８】
ポイント換算情報は、キャンペーンサイトにおけるキャンペーン対象商品の購入金額またはキャンペーン対象役務の提供金額のキャンペーンポイントへの換算に必要な情報であり、たとえば、１ポイントに対応する購入商品の購入金額または提供役務の提供金額である。また、キャンペーンサイトにおけるキャンペーン対象商品の購入数またはキャンペーン対象役務の提供数のキャンペーンポイントへの換算に必要な情報であり、たとえば、１ポイントに対応する購入商品の購入数または提供役務の提供数である。
【００５９】
応募口数判断情報は、キャンペーンサイトにおけるキャンペーン対象商品の購入金額またはキャンペーン対象役務の提供金額に対するキャンペーンの応募口数を判断する情報であり、たとえば、１口に対応する購入商品の購入金額または提供役務の提供金額である。また、キャンペーンサイトにおけるキャンペーン対象商品の購入数またはキャンペーン対象役務の提供数に対するキャンペーンの応募口数を判断する情報であり、たとえば、１口に対応する購入商品の購入数または提供役務の提供数である。
【００６０】
スマートフォン１１Ａ〜１１ＣやタブレットＰＣ１２Ａ〜１２Ｃの中央処理部は、レシートの撮影時（撮影前）に、レシートの撮影手順とレシートの撮影条件との少なくとも一方の撮影アドバイスを出力する撮影アドバイス出力手段を実施し、長尺のレシートの撮影時に、長尺のレシートの長さ方向への分割撮影を指示する分割撮影指示手段を実施する。さらに、レシートの撮影時に、レシートに対してスマートフォン１１Ａ〜１１ＣやタブレットＰＣ１２Ａ〜１２Ｃの焦点が合わない場合、スマートフォン１１Ａ〜１１ＣやタブレットＰＣ１２Ａ〜１２Ｃのシャッタを切ることを不能にするシャッタ操作不能手段を実施する。なお、スマートフォン１１Ａ〜１１ＣやタブレットＰＣ１２Ａ〜１２Ｃのハードディスクには、キャンペーン応募アプリケーションをダウンロードすると同時に、撮影アドバイス情報や長尺のレシートの長さに対応する分割数情報が格納される。
【００６１】
スマートフォン１１Ａ〜１１ＣやタブレットＰＣ１２Ａ〜１２Ｃの中央処理部は、レシートの撮影後に、分割撮影指示手段によって分割して撮影された長尺のレシートの複数のレシート画像データを長さ方向へつなげ、長尺のレシートのレシート画像データに編集するレシート画像データ編集手段を実施し、レシートの撮影後に、レシートに記載された各レシート表示項目をレシート画像データ（デジタル画像データ）（長尺のレシートのレシート画像データを含む）として取得するレシート画像データ取得手段を実施する。
【００６２】
スマートフォン１１Ａ〜１１ＣやタブレットＰＣ１２Ａ〜１２Ｃの中央処理部は、レシートの撮影後に、レシート画像データの画像適合と画像不適合とのいずれか一方の撮影結果を出力する撮影結果出力手段を実施し、レシート画像データが画像適合である場合、レシート画像データのサーバ１４への送信を指示するメッセージを出力し、または、レシート画像データが画像不適合である場合、レシート画像データのエラーメッセージを出力するメッセージ出力手段（メッセージ第１出力手段）を実施する。
【００６３】
スマートフォン１１Ａ〜１１ＣやタブレットＰＣ１２Ａ〜１２Ｃの中央処理部は、レシート画像データが画像適合である場合、取得した（撮影された）レシート画像データに含まれるレシート表示項目とレシート必要項目とを比較するレシート必要項目比較手段（レシート必要項目第２比較手段）を実施し、レシート表示項目がレシート必要項目に該当する場合、レシート画像データのサーバ１４への送信を指示するメッセージを出力し、または、レシート表示項目がレシート必要項目に該当しない場合、エラーメッセージを出力するメッセージ出力手段（メッセージ第２出力手段）を実施する。
【００６４】
なお、レシート表示項目には、レシート画像データに含まれる商品の販売チャンネルまたは役務の提供チャンネル、レシート画像データに含まれる店舗の名称、レシート画像データに含まれる店舗の住所、レシート画像データに含まれる店舗の電話番号、レシート画像データに含まれる商品購入日時または役務提供日時、レシート画像データに含まれる購入商品の商品名または提供役務の役務名、電子マネー利用データ（電子マネー提供会社等）、クレジット利用データ（クレジットカード名やクレジットカード会社名等）がある。
【００６５】
なお、それらの全てをレシート表示項目にする必要はなく、それらうちの少なくとも店舗の電話番号、商品購入日時、購入商品の商品名をレシート表示項目にすればよい。システム１０では、販売チャンネル、店舗の名称、店舗の住所、店舗の電話番号、商品購入日時、購入商品の商品名、電子マネー利用データ、クレジット利用データをレシート表示項目とし、それらレシート表示項目の定義がスマートフォン１１Ａ〜１１ＣやタブレットＰＣ１２Ａ〜１２Ｃのハードディスクに格納されているものとする。
【００６６】
スマートフォン１１Ａ〜１１ＣやタブレットＰＣ１２Ａ〜１２Ｃの中央処理部は、レシート画像データが画像適合であり、レシート表示項目がレシート必要項目に該当する場合、後記するレシート画像データ記憶手段によって記憶したレシート画像データとあらたに撮影されたレシートのレシート画像データとを比較するレシート画像データ比較手段を実施し、それらレシート画像データどうしを比較した結果、それらレシート画像データに含まれるレシート表示項目が一致した場合、レシート重複メッセージを出力するレシート重複メッセージ出力手段を実施する。
【００６７】
スマートフォン１１Ａ〜１１ＣやタブレットＰＣ１２Ａ〜１２Ｃの中央処理部は、レシート画像データが画像適合であり、レシート表示項目がレシート必要項目に該当するとともに、レシート画像データが重複しない場合、そのレシート画像データを対象商品特定情報や対象役務特定情報、キャンペーンサイト特定情報、キャンペーン特定情報、携帯端末特定情報に関連づけた状態でハードディスクに記憶するレシート画像データ記憶手段を実施するとともに、サーバ１４が管理するキャンペーンサイトにログインしつつ記憶したレシート画像データをサーバ１４に送信するレシート画像データ送信手段を実施する。
【００６８】
スマートフォン１１Ａ〜１１ＣやタブレットＰＣ１２Ａ〜１２Ｃの中央処理部は、ポイント換算情報を利用してキャンペーン対象商品の購入金額またはキャンペーン対象役務の提供金額をキャンペーンポイントに換算し、または、ポイント換算情報を利用してキャンペーン対象商品の購入数またはキャンペーン対象役務の提供数をキャンペーンポイントに換算するキャンペーンポイント換算手段を実施し、換算したキャンペーンポイントを対象商品特定情報や対象役務特定情報、キャンペーンサイト特定情報、キャンペーン特定情報、携帯端末特定情報に関連づけた状態でハードディスクに記憶するキャンペーンポイント記憶手段を実施する。さらに、換算したキャンペーンポイントを出力するキャンペーンポイント出力手段を実施する。
【００６９】
スマートフォン１１Ａ〜１１ＣやタブレットＰＣ１２Ａ〜１２Ｃの中央処理部は、応募口数判断情報を利用してキャンペーン対象商品の購入金額またはキャンペーン対象役務の提供金額に対するキャンペーンの応募口数を割り出し、または、応募口数判断情報を利用してキャンペーン対象商品の購入数または該キャンペーン対象役務の提供数に対するキャンペーンの応募口数を割り出す応募口数割出手段を実施し、割り出したキャンペーンの応募口数を対象商品特定情報や対象役務特定情報、キャンペーンサイト特定情報、キャンペーン特定情報、携帯端末特定情報に関連づけた状態でハードディスクに記憶する応募口数記憶手段を実施する。さらに、割り出したキャンペーンの応募口数を出力する応募口数出力手段を実施する。
【００７０】
スマートフォン１１Ａ〜１１ＣやタブレットＰＣ１２Ａ〜１２Ｃの中央処理部は、各キャンペーンサイトにおけるキャンペーン対象商品の累計購入金額またはキャンペーン対象役務の累計提供金額を算出する累計金額算出手段を実施し、算出したキャンペーン対象商品の累計購入金額またはキャンペーン対象役務の累計提供金額を対象商品特定情報や対象役務特定情報、キャンペーンサイト特定情報、キャンペーン特定情報、携帯端末特定情報に関連づけた状態でハードディスクに記憶する累計金額記憶手段を実施する。さらに、算出したキャンペーン対象商品の累計購入金額またはキャンペーン対象役務の累計提供金額を出力する累計金額出力手段を実施する。
【００７１】
スマートフォン１１Ａ〜１１ＣやタブレットＰＣ１２Ａ〜１２Ｃの中央処理部は、各キャンペーンサイトにおけるキャンペーン対象商品の累計購入数またはキャンペーン対象役務の累計提供数を算出する累計数算出手段を実施し、算出したキャンペーン対象商品の累計購入数またはキャンペーン対象役務の累計提供数を対象商品特定情報や対象役務特定情報、キャンペーンサイト特定情報、キャンペーン特定情報、携帯端末特定情報に関連づけた状態でハードディスクに記憶する累計数記憶手段を実施する。さらに、算出したキャンペーン対象商品の累計購入数またはキャンペーン対象役務の累計提供数を出力する累計数出力手段を実施する。
【００７２】
サーバ１４は、キャンペーンを主催するキャンペーン主催者（主催会社）が契約するデータセンターに設置されている。サーバ１４は、世界のいずれかに施設されたデータセンターの他のサーバとインターネット１３を介してネットワークを形成している。なお、サーバ１４がキャンペーンを主催するキャンペーン主催者の事業所に設置される場合もある。サーバ１４は、中央処理部（ＣＰＵまたはＭＰＵ）とメモリ（メインメモリおよびキャッシュメモリ）とを備えた物理的なコンピュータまたは仮想されたバーチャルコンピュータであり、物理的な大容量ハードディスクまたは仮想された大容量ハードディスクを内蔵している。なお、図示はしていないが、サーバ１４には、キーボードやマウス等の入力装置、ディスプレイやプリンタ等の出力装置がインターフェイスを介して接続されている。
【００７３】
サーバ１４には、ホスト名とそのホスト名に割り当てるＩＰアドレスとの対応付けを設定するＤＮＳサーバ、他のコンピュータや他のサーバからの要求を受け付けて各種情報を読み書きする機能を提供するデータベース・ファイルサーバ、ホームページを公開するために必要なＷｅｂサーバ、電子メールの送受信用のメールサーバ、作成された文章や画像等のデータをすべて保存してそれらのデータを検索可能にするドキュメントサーバ等の各種サーバが接続され、それらサーバがサーバ群を形成している。なお、サーバ１４は、それ自体がＤＮＳサーバ機能、データベースサーバ機能、Ｗｅｂサーバ機能、メールサーバ機能、ドキュメントサーバ機能を有し、各サーバ機能別にソフトウェア的に区分されている場合がある。サーバ１４は、インターネット１３に接続された各種複数のＤＮＳサーバ等を経由しつつ、インターネット１３を利用してアクセス制限がない他のあらゆるサーバにアクセスすることができる。
【００７４】
サーバ１４のハードディスクには、各種複数のキャンペーンサイト情報、それらキャンペーンサイトの各種複数のキャンペーン情報、サーバ１４からキャンペーン応募アプリケーションをダウンロード（インストール）したスマートフォン１１Ａ〜１１ＣやタブレットＰＣ１２Ａ〜１２Ｃの携帯端末特定情報、スマートフォン１１Ａ〜１１ＣやタブレットＰＣ１２Ａ〜１２Ｃの利用者の個人情報、スマートフォン１１Ａ〜１１ＣやタブレットＰＣ１２Ａ〜１２ＣのＵＲＬ、撮影アドバイス情報、長尺のレシートの長さに対応する分割数情報が格納されている。
【００７５】
サーバ１４の中央処理部は、オペレーティングシステム（ＯＳ）による制御に基づいて、メモリの内部アドレスファイルに格納されたキャンペーン応募アプリケーションを起動し、そのアプリケーションに従って、以下の各手段を実行する。サーバ１４の中央処理部は、サーバ１４からキャンペーン応募アプリケーションをダウンロード（インストール）したスマートフォン１１Ａ〜１１ＣやタブレットＰＣ１２Ａ〜１２Ｃに最新（更新した）のそれらキャンペーン情報（過去のキャンペーン情報を含む）を配信するキャンペーン情報送信手段（レシート必要項目送信手段、ポイント換算情報送信手段、応募口数判断情報送信手段を含む）を実施する。キャンペーン情報送信手段では、キャンペーン情報を所定の時間間隔（１時間間隔や２時間間隔、６時間間隔、１日間隔等）でスマートフォン１１Ａ〜１１ＣやタブレットＰＣ１２Ａ〜１２Ｃに配信する。
【００７６】
サーバ１４の中央処理部は、スマートフォン１１Ａ〜１１ＣやタブレットＰＣ１２Ａ〜１２Ｃから送信されたレシート画像データに含まれるレシート表示項目とレシート必要項目とを比較するレシート必要項目比較手段（レシート必要項目第１比較手段）を実施し、レシート表示項目とレシート必要項目とを比較した結果、レシート表示項目がレシート必要項目に該当しない場合、レシートエラーメッセージをスマートフォン１１Ａ〜１１ＣやタブレットＰＣ１２Ａ〜１２Ｃに送信するレシートエラーメッセージ送信手段を実施する。
【００７７】
サーバ１４の中央処理部は、スマートフォン１１Ａ〜１１ＣやタブレットＰＣ１２Ａ〜１２Ｃから送信されたレシート画像データと後記するレシート画像データ記憶手段によって記憶したレシート画像データとを比較するレシート比較手段（レシート第２比較手段）を実施し、それらレシート画像データを比較した結果、それらレシート画像データに含まれるレシート表示項目が一致した場合、レシート重複メッセージをスマートフォン１１Ａ〜１１ＣやタブレットＰＣ１２Ａ〜１２Ｃに送信するレシート重複メッセージ送信手段を実施する。
【００７８】
サーバ１４の中央処理部は、レシート必要項目比較手段によってレシート表示項目とレシート必要項目とを比較した結果、レシート表示項目がレシート必要項目に該当し、レシート比較手段によってレシート画像データを比較した結果、それらレシート画像データに含まれるレシート表示項目が一致しない場合、レシート必要項目に該当した各レシート表示項目が含まれるレシート画像データをキャンペーンサイト特定情報、キャンペーン特定情報、携帯端末特定情報に関連づけた状態でハードディスクに記憶するレシート画像データ記憶手段を実施するとともに、キャンペーンにおけるレシート受付メッセージをスマートフォン１１Ａ〜１１ＣやタブレットＰＣ１２Ａ〜１２Ｃに送信する受付メッセージ送信手段を実施する。
【００７９】
サーバ１４の中央処理部は、ポイント換算情報を利用してキャンペーン対象商品の購入金額またはキャンペーン対象役務の提供金額をキャンペーンポイントに換算し、または、ポイント換算情報を利用してキャンペーン対象商品の購入数またはキャンペーン対象役務の提供数をキャンペーンポイントに換算するキャンペーンポイント換算手段を実施し、換算したキャンペーンポイントを対象商品特定情報や対象役務特定情報、キャンペーンサイト特定情報、キャンペーン特定情報、携帯端末特定情報に関連づけた状態でハードディスクに記憶するキャンペーンポイント記憶手段を実施する。さらに、換算したキャンペーンポイントをスマートフォン１１Ａ〜１１ＣやタブレットＰＣ１２Ａ〜１２Ｃに送信するキャンペーンポイント送信手段を実施する。
【００８０】
サーバ１４の中央処理部は、応募口数判断情報を利用してキャンペーン対象商品の購入金額またはキャンペーン対象役務の提供金額に対するキャンペーンの応募口数を割り出し、または、応募口数判断情報を利用してキャンペーン対象商品の購入数または該キャンペーン対象役務の提供数に対するキャンペーンの応募口数を割り出す応募口数割出手段を実施し、割り出したキャンペーンの応募口数を対象商品特定情報や対象役務特定情報、キャンペーンサイト特定情報、キャンペーン特定情報、携帯端末特定情報に関連づけた状態でハードディスクに記憶する応募口数記憶手段を実施する。さらに、割り出したキャンペーンの応募口数をスマートフォン１１Ａ〜１１ＣやタブレットＰＣ１２Ａ〜１２Ｃに送信する応募口数送信手段を実施する。
【００８１】
サーバ１４の中央処理部は、各キャンペーンサイトにおけるキャンペーン対象商品の累計購入金額またはキャンペーン対象役務の累計提供金額を算出する累計金額算出手段を実施し、算出したキャンペーン対象商品の累計購入金額またはキャンペーン対象役務の累計提供金額を対象商品特定情報や対象役務特定情報、キャンペーンサイト特定情報、キャンペーン特定情報、携帯端末特定情報に関連づけた状態でハードディスクに記憶する累計金額記憶手段を実施する。さらに、算出したキャンペーン対象商品の累計購入金額またはキャンペーン対象役務の累計提供金額をスマートフォン１１Ａ〜１１ＣやタブレットＰＣ１２Ａ〜１２Ｃに送信する累計金額送信手段を実施する。
【００８２】
サーバ１４の中央処理部は、各キャンペーンサイトにおけるキャンペーン対象商品の累計購入数またはキャンペーン対象役務の累計提供数を算出する累計数算出手段を実施し、算出したキャンペーン対象商品の累計購入数またはキャンペーン対象役務の累計提供数を対象商品特定情報や対象役務特定情報、キャンペーンサイト特定情報、キャンペーン特定情報、携帯端末特定情報に関連づけた状態でハードディスクに記憶する累計数記憶手段を実施する。さらに、算出したキャンペーン対象商品の累計購入数またはキャンペーン対象役務の累計提供数をスマートフォン１１Ａ〜１１ＣやタブレットＰＣ１２Ａ〜１２Ｃに送信する累計数送信手段を実施する。
【００８３】
サーバ１４の中央処理部は、最新（更新した）のキャンペーン応募状況（過去のキャンペーン応募状況を含む）をスマートフォン１１Ａ〜１１ＣやタブレットＰＣ１２Ａ〜１２Ｃに送信する応募状況送信手段を実施し、最新（更新した）のキャンペーン当選結果（過去のキャンペーン当選結果を含む）をスマートフォン１１Ａ〜１１ＣやタブレットＰＣ１２Ａ〜１２Ｃに送信する当選結果送信手段を実施する。
【００８４】
図２は、キャンペーンサイト表示画面２０の一例を示す図であり、図３は、キャンペーン応募画面２２の一例を示す図である。図４は、レシート撮影画面２６の一例を示す図であり、図５は、撮影アドバイス画面２９の一例を示す図である。図６は、分割撮影指示画面３６の一例を示す図である。図２〜図６では、スマートフォン１１Ａのみを図示してキャンペーン応募システム１０を説明する（以下の図において同じ）。図５，６では、各表示エリア３０，３１，３７に表示される項目の図示を省略している。
【００８５】
スマートフォン１１Ａ〜１１ＣやタブレットＰＣ１２Ａ〜１２Ｃには、キャンペーン応募アプリケーションがダウンロードされ、サーバ１４から最新の各種キャンペーン情報（過去のキャンペーン情報を含む）が配信されているとともに（キャンペーン情報送信手段）、それらキャンペーン情報がハードディスクに記憶されている（キャンペーン情報記憶手段）。スマートフォン１１Ａ〜１１ＣやタブレットＰＣ１２Ａ〜１２Ｃの利用者が店舗においてキャンペーン対象商品を購入し、または、キャンペーン対象役務の提供を受けた場合、その商品の購入やその役務の提供によってキャンペーンへの参加資格が得られ、キャンペーンに応募することができる。キャンペーンでは、抽選によって当選した当選者に当選品（景品や商品券、割引券等）が送られる。なお、以下の説明では、スマートフォン１１ＡやタブレットＰＣ１２Ａ〜１２Ｃの利用者がキャンペーン対象役務（キャンペーン対象サービス）の提供を受けた場合を省略し、利用者がキャンペーン対象商品を購入した場合を例としてシステム１０を説明する。
【００８６】
スマートフォン１１Ａ〜１１ＣやタブレットＰＣ１２Ａ〜１２Ｃの利用者が店舗においてキャンペーン対象商品（キャンペーン対象外商品を含む）を購入すると、店舗に設置されたキャッシュレジスター（ＰＯＳレジ）から購入した対象商品（対象商品以外の商品を含む場合がある）のレシート（領収証、明細書）が発行される。キャンペーン対象商品を購入した利用者は、レシートを受け取った後、スマートフォン１１Ａ〜１１ＣやタブレットＰＣ１２Ａ〜１２Ｃのタッチパネルに表示された待ち受け画面のキャンペーン応募アイコン（図示せず）をタップする。
【００８７】
キャンペーン応募アイコンをタップすると、スマートフォン１１Ａがサーバ１４にログインする。なお、ＱＲコード（登録商標）を読み込み、タッチパネルに表示されたＱＲコード（登録商標）のキャンペーンサイトのＵＲＬをタップすることで、スマートフォン１１Ａをサーバ１４にログインさせることもできる。スマートフォン１１Ａがサーバ１４にログインすると、スマートフォン１１Ａのタッチパネルには、図２に示すキャンペーンサイト表示画面２０が表示される。
【００８８】
図２のキャンペーンサイト表示画面２０には、各種のキャンペーンサイト（メーカー名を含む）を示す［キャンペーンサイト］ボタン２１ａ〜２１ｆ、［ログアウト］ボタン２１ｇが表示される。［ログアウト］ボタン２１ｇをタップすると、スマートフォン１１Ａがログアウトし、待ち受け画面に戻る。それら［キャンペーンサイト］ボタン２１ａ〜２１ｆのうちのキャンペーン対象商品のキャンペーンを実施するメーカーのキャンペーンサイトを示すボタンをタップする。それらボタン２１ａ〜２１ｆのいずれかをタップすると、スマートフォン１１Ａが選択したキャンペーンサイトにログインする。スマートフォン１１Ａのタッチパネルには、図３に示すキャンペーンサイトのキャンペーン応募画面２２が表示される。
【００８９】
図３のキャンペーン応募画面２２には、キャンペーンの詳細情報を閲覧するための［見る］ボタン２３、キャンペーンに応募するための［応募する］ボタン２４、キャンペーンに応募しない［応募しない］ボタン２５が表示される。［応募しない］ボタン２５をタップすると、図示はしていないが、お礼メッセージとサイトからの退出ボタンが表示され、退出ボタンをタップすると、スマートフォン１１Ａがキャンペーンサイトからログアウトし、図２のキャンペーンサイト表示画面２０が表示される（以下の［応募しない］ボタンにおいて同じ）。
【００９０】
スマートフォン１１Ａは、キャンペーンの詳細情報をタッチパネルに表示することができる（キャンペーン情報出力手段）。キャンペーンの詳細情報を閲覧する場合は、［見る］ボタン２３をタップする。［見る］ボタン２３をタップすると、タッチパネルにキャンペーンの詳細情報画面（図示せず）が表示される。詳細情報画面では、画面をフリックすることで画面をスクロールすることができ、画面をピンチすることで画面を拡大、縮小することができる。
【００９１】
詳細情報画面には、キャンペーン名称、キャンペーンの実施期間、キャンペーンを主催する主催者チャンネル、キャンペーン実施店舗情報、キャンペーンの当選品、キャンペーンの当選品の個数、キャンペーン対象商品の種類、応募一口に対応する商品購入数、応募一口に対応する金額、金額に対応するキャンペーンポイント、抽選日、キャンペーン対象商品や他の商品の詳細情報等が表示される。利用者は、タッチパネルのキャンペーン情報を見ることで、キャンペーンの詳細を知ることができる。また、キャンペーン情報を利用して販売する商品や提供する役務を再度宣伝することができ、商品の販売や役務の提供を促進することができる。
【００９２】
利用者がキャンペーンに応募する場合は、図３のキャンペーン応募画面２２の［応募する］ボタン２４をタップする。［応募する］ボタン２４をタップすると、図４に示すレシート撮影画面２６がスマートフォン１１Ａのタッチパネルに表示される。図４のレシート撮影画面２６には、レシートの表紙の撮影を依頼するメッセージとともに、［撮影する］ボタン２７、［撮影しない］ボタン２８が表示される。［撮影しない］ボタン２８をクリックすると、図２のキャンペーンサイト表示画面２０が表示される（以下の［撮影しない］ボタンにおいて同じ）。レシートを撮影する場合は、［撮影する］ボタン２７をタップする。［撮影する］ボタン２７をタップすると、図５に示す撮影アドバイス画面２９が表示される。
【００９３】
図５の撮影アドバイス画面２９には、撮影手順を表示した［撮影手順］表示エア３０、撮影条件を表示した［撮影条件］表示エリア３１、［撮影する］ボタン３２、［長尺］ボタン３３、［戻る］ボタン３４、［キャンセル］ボタン３５が表示される。［戻る］ボタン３４をタップすると、１つ前の画面が表示され（以下の［戻る］ボタンにおいて同じ）、［キャンセル］ボタン３５をタップすると、図２のキャンペーンサイト表示画面２０が表示される（以下の［キャンセル］ボタンにおいて同じ）。
【００９４】
利用者は、［撮影手順］を見ることで、［撮影手順］を知ることができる。なお、タッチパネルをフリックすることで、画面をスクロールすることができ、［撮影手順］表示エリア３０をピンチすることで、表示エリア３０を拡大、縮小することができる。［撮影手順］表示エリア３０には、たとえば、［レシートの端を手で持ち、スマートフォンをレシートの項目表示面に対して平行にした状態で、影や異物が入らないようにして、レシートの全体が入るようにシャッタを切って下さい。］等のメッセージが表示される（撮影アドバイス出力手段）。
【００９５】
利用者は、［撮影条件］を見ることで、［撮影条件］を知ることができる。なお、［撮影条件］表示エリア３１をピンチすることで、表示エリア３１を拡大、縮小することができる。［撮影条件］表示エリア３１には、たとえば、［レシートに対するスマートフォンの撮影位置を表したポンチ絵、レシートに対するスマートフォンの撮影角度を表したポンチ絵、レシートに対するスマートフォンの撮影距離を表したポンチ絵、フラッシュ撮影の要否、撮影枚数］等のメッセージが表示される（撮影アドバイス出力手段）。
【００９６】
キャンペーン応募システム１０は、スマートフォン１１Ａ（多機能携帯端末）がレシートの撮影時にその撮影手順とその撮影条件との少なくとも一方の撮影アドバイスを出力するから、利用者がレシートを正確に撮影することができ、不鮮明なレシート画像データ、影や異物等の余分な画像を含むレシート画像データ、必要なレシート表示項目が含まれないレシート画像データ、レシートの一部が欠落しているレシート画像データ等の不適合なレシート画像データがサーバ１４に送信されることはなく、利用者がレシートを利用して各種のキャンペーンに円滑かつ迅速に応募することができる。
【００９７】
［撮影手順］や［撮影条件］を確認した利用者は、［撮影する］ボタン３２をタップする。［撮影する］ボタン３２をタップすると、スマートフォン１１Ａのカメラ機能が起動して撮影モードに切り替わる。利用者は、撮影モードにおいてスマートフォン１１Ａのシャッタを切り、レシートの表面を撮影する。なお、レシートが１回の撮影に納まらない長尺である場合、利用者は、［長尺］ボタン３３をタップする。［長尺］ボタン３３をタップすると、図示はしていないが、長尺レシート撮影画面が表示される。長尺レシート撮影画面には、［レシートの長さ］入力エリア、［決定］ボタン、［戻る］ボタンが表示される。［レシートの長さ］入力エリアにレシートの概ねの長さを入力し、［決定］ボタンをタップすると、図６に示す分割撮影指示画面３６が表示される。
【００９８】
図６の分割撮影指示画面３６には、［分割撮影指示］表示エリア３７、［撮影する］ボタン３８、［戻る］ボタン３９、［キャンセル］ボタン４０が表示される。［分割撮影指示］表示エリア３７には、たとえば、［レシートを上から３回に分けて撮影して下さい。その場合、１回目の撮影の画像下部が２回目の撮影の画像上部になるように、２回目の撮影の画像下部が３回目の撮影の画像上部になるように、撮影して下さい。］等のメッセージが表示される（分割撮影指示手段）。［分割撮影指示］を確認した利用者は、［撮影する］ボタン３８をタップする。［撮影する］ボタン３８をタップすると、スマートフォン１１Ａのカメラ機能が起動して撮影モードに切り替わる。利用者は、撮影モードにおいてスマートフォン１１Ａのシャッタを切り、レシートの表面を撮影する。
【００９９】
スマートフォン１１Ａは、利用者が撮影モードにおいてレシートを撮影する撮影時に、レシートに対してスマートフォン１１Ａ（内蔵カメラ）の焦点が合わない場合、スマートフォン１１Ａのシャッタを切ることを不能にする（シャッタ操作不能手段）。キャンペーン応募システム１０は、スマートフォン１１Ａ（多機能携帯端末）の焦点が合わない場合にシャッタを切ることができないから、ピントが合わないぼけたレシート画像データが撮影されることはなく、鮮明なレシート画像データがサーバ１４に送信され、利用者がレシートを利用して各種のキャンペーンに円滑かつ迅速に応募することができるとともに、サーバ１４においてレシート画像データが確実かつ迅速に判別可能となり、スマートフォン１１Ａおよびサーバ１４を利用してキャンペーンをミスなく円滑に実施することができる。
【０１００】
スマートフォン１１Ａは、撮影された長尺のレシートの複数のレシート画像データを長さ方向へつなげ、長尺のレシートのレシート画像データに編集する（レシート画像データ編集手段）。利用者によってレシートが撮影された後、スマートフォン１１Ａは、レシートに記載された各レシート表示項目をレシート画像データ（デジタル画像データ）（長尺のレシートのレシート画像データを含む）として取得する（レシート画像データ取得手段）。スマートフォン１１Ａは、レシート画像データをキャッシュメモリに一時的に保存する
【０１０１】
レシート画像データ編集手段では、分割撮影されたレシート画像データのうち、１回目の撮影の画像下部と２回目の撮影の画像上部とを比較し、同一の画像部分を重ね合わせ、１回目の撮影の画像と２回目の撮影の画像とをつなぎ合わせ、さらに、２回目の撮影の画像下部と３回目の撮影の画像上部とを比較し、同一の画像部分を重ね合わせ、２回目の撮影の画像と３回目の撮影の画像とをつなぎ合わせ、分割撮影されたレシート画像データを長尺のレシートのレシート画像データに編集する。
【０１０２】
図７は、スマートフォン１１Ａにおいて実施されるレシート判別手順の一例を示すフローチャートであり、図８は、エラーメッセージ表示画面４１の一例を示す図である。図９は、エラーメッセージ表示画面４４の他の一例を示す図であり、図１０は、エラーメッセージ表示画面４７の他の一例を示す図である。図１１は、レシート画像データ保存画面５０の一例を示す図であり、図１２は、レシート画像データ送信画面５３の一例を示す図である。図１３は、送信完了画面５６の一例を示す図である。
【０１０３】
スマートフォン１１Ａは、レシート画像データを取得した（Ｓ−１０）後、そのレシート画像データが鮮明か不鮮明か（文字や数字が判別可能か判別不能か）、影や異物等の余分な画像を含まないか等を判断し、レシート画像データが適合するかを判断するとともに（Ｓ−１１）、画像適合と画像不適合とのいずれか一方の撮影結果を出力する（撮影結果出力手段）。スマートフォン１１Ａは、レシート画像データが不鮮明な場合や余分な画像を含む場合、図８に示すエラーメッセージ表示画面４１を表示する（メッセージ出力手段（メッセージ第１出力手段））（Ｓ−１４）。図８のエラーメッセージ表示画面４１には、エラーメッセージと、［撮影する］ボタン４２、［撮影しない］ボタン４３が表示される。［撮影する］ボタン４２をタップすると、図４のレシート撮影画面２６または図５の撮影アドバイス画面２９が表示され、レシートを再度撮影する。
【０１０４】
スマートフォン１１Ａは、レシート画像データが画像適合である場合、取得したレシート画像データからレシート表示項目（販売チャンネル、店舗の名称、店舗の住所、店舗の電話番号、商品購入日時、購入商品の商品名、購入商品の購入金額または購入商品の購入数、電子マネー利用データ、クレジット利用データ）を抽出する（レシート表示項目抽出手段）。スマートフォン１１Ａは、レシート表示項目を抽出した後、抽出したレシート表示項目と記憶したレシート必要項目とを比較し（レシート必要項目比較手段（レシート必要項目第２比較手段））、レシート表示項目がレシート必要項目に該当するかを判断する（Ｓ−１２）。
【０１０５】
具体的には、ハードディスクに記憶した販売チャンネルとレシート画像データから抽出した販売チャンネルとを比較し、ハードディスクに記憶した店舗の名称とレシート画像データから抽出した店舗の名称とを比較するとともに、ハードディスクに記憶した店舗の住所とレシート画像データから抽出した店舗の住所とを比較する。さらに、ハードディスクに記憶した店舗の電話番号とレシート画像データから抽出した店舗の電話番号とを比較し、ハードディスクに記憶したキャンペーン実施期間とレシート画像データから抽出した商品購入日時とを比較するとともに、ハードディスクに記憶したキャンペーン対象商品名とレシート画像データから抽出した購入商品の商品名とを比較する。
【０１０６】
スマートフォン１１Ａは、レシート表示項目がレシート必要項目に該当しない場合、図９に示すエラーメッセージ表示画面４４を表示する（メッセージ出力手段（メッセージ第２出力手段））（Ｓ−１４）。図９のエラーメッセージ表示画面４４には、エラーメッセージと、［応募する］ボタン４５、［応募しない］ボタン４６が表示される。［応募する］ボタン４５をタップすると、図３のキャンペーン応募画面２２が表示される。なお、購入商品の商品名とキャンペーン対象商品名とが相違し、レシートにキャンペーン対象商品が含まれていなかったものとする。
【０１０７】
スマートフォン１１Ａは、レシート必要項目比較手段（レシート必要項目第２比較手段）において、購入商品の商品名（レシート表示項目）がキャンペーン対象商品名（レシート必要項目）に６０％以上一致した場合（好ましくは、７０％以上一致した場合）、購入商品の商品名（レシート表示項目）がキャンペーン対象商品名（レシート必要項目）に該当するものとする。たとえば、購入商品の商品名をレシート画像データから抽出したときに、カタカナの読み違いや濁音の読み違いがあったとしても、全体として６０％以上一致した場合、購入商品の商品名がキャンペーン対象商品名に該当するものとする。なお、一致条件は、６０〜１００％の範囲で変更することができる。
【０１０８】
キャンペーン応募システム１０は、レシート表示項目がレシート必要項目に完全一致しなくても、６０％以上一致していれば、レシート表示項目がレシート必要項目に該当すると判断することで、カタカナの読み違いや濁音の読み違いによるキャンペーン対象商品やキャンペーン対象役務のキャンペーンへのエントリー漏れを防ぐことができる。
【０１０９】
スマートフォン１１Ａは、レシート画像データが画像適合であり、レシート表示項目がレシート必要項目に該当する場合、既にハードディスクに記憶したレシート画像データと取得したレシート画像データ（あらたに撮影されたレシートのレシート画像データ）とを比較する（レシート画像データ比較手段）。スマートフォン１１Ａは、それらレシート画像データどうしを比較した結果、それらレシート画像データに含まれるレシート表示項目が一致した場合、図１０に示すレシート重複メッセージ表示画面４７を表示する（レシート重複メッセージ出力手段）（Ｓ−１４）。図１０のレシート重複メッセージ表示画面４７には、レシート重複メッセージ、［応募する］ボタン４８、［応募しない］ボタン４９が表示される。利用者が図１０のレシート重複メッセージ表示画面４７の［応募する］ボタン４８をタップすると、図３のキャンペーン応募画面２２が表示される。
【０１１０】
キャンペーン応募システム１０は、同一のレシートによる二重応募を防ぐことができ、キャンペーンを公平に実施することができる。キャンペーン応募システム１０は、レシート表示項目が一致した場合、レシート重複メッセージをスマートフォン１１Ａ（多機能携帯端末）が出力するから、利用者がスマートフォン１１Ａを介して二重応募を知ることができ、同一のレシートのレシート画像データのサーバ１４への誤送信を防ぐことができる。
【０１１１】
スマートフォン１１Ａは、レシート画像データが画像適合であり、レシート表示項目がレシート必要項目に該当するとともに、レシート画像データに含まれるレシート表示項目が重複しない場合、図１１に示すレシート画像データ保存画面５０を表示する。図１１のレシート画像データ保存画面５０には、撮影したレシートの画像、［保存する］ボタン５１、［保存しない］ボタン５２が表示される。利用者は、タッチパネルに表示されたレシートの画像を確認し、その画像が不鮮明でアルト判断した場合や再度レシートを撮影する必要があると判断した場合は、［保存しない］ボタン５２をタップする。［保存しない］ボタン５２をタップすると、図４のレシート撮影画面２６または図５の撮影アドバイス画面２９が表示され、レシートを再度撮影する。
【０１１２】
レシート画像データを保存する場合は、［保存する］ボタン５１をタップする。［保存する］ボタン５１をタップすると、スマートフォン１１Ａは、そのレシート画像データを対象商品特定情報、キャンペーンサイト特定情報、キャンペーン特定情報、携帯端末特定情報に関連づけた状態でハードディスクに記憶しつつ（レシート画像データ記憶手段）、図１２に示すレシート画像データ送信画面５３を表示するメッセージ出力手段（メッセージ第１出力手段、メッセージ第２出力手段）。
【０１１３】
図１２のレシート画像データ送信画面５３には、レシート画像データのサーバ１４への送信を指示する送信メッセージ、［送信する］ボタン５４、［送信しない］ボタン５５が表示される。図１２のレシート画像データ送信画面５３の［送信しない］ボタン５５をタップすると、図３のキャンペーン応募画面２２が表示される。［送信する］ボタン５４をタップすると、スマートフォン１１Ａは、［保存する］ボタン５１によって保存されたレシート画像データをサーバ１４に送信する（レシート画像データ送信手段）。レシート画像データをサーバ１４に送信した後、スマートフォン１１Ａは、図１３に示す送信完了画面５６を表示する。送信完了画面５６には、送信完了メッセージ、［ＯＫ］ボタン５７が表示される。利用者が送信完了画面５６の［ＯＫ］ボタン５７をタップすると、図３のキャンペーン応募画面２２が表示される。
【０１１４】
レシート画像データ送信手段を実施した後、スマートフォン１１Ａは、ポイント換算情報を利用してキャンペーン対象商品の購入金額をキャンペーンポイントに換算する（キャンペーンポイント換算手段）。たとえば、応募金額が５００円で１ポイントが設定される場合、レシート表示項目のうちのキャンペーン対象商品（購入商品）の購入価格（１０００円）とレシート判断項目のうちの応募金額（５００円）とから、購入価格をキャンペーンポイント（１０００／５００＝２ポイント）に換算する。スマートフォン１１Ａは、換算したキャンペーンポイントを対象商品特定情報、キャンペーンサイト特定情報、キャンペーン特定情報、携帯端末特定情報に関連づけた状態でハードディスクに記憶する（キャンペーンポイント記憶手段）。
【０１１５】
スマートフォン１１Ａは、応募口数判断情報を利用してキャンペーン対象商品の購入金額に対するキャンペーンの応募口数を割り出し、キャンペーン対象商品の購入数に対するキャンペーンの応募口数を割り出す（応募口数割出手段）。たとえば、１口が応募金額が５００円の場合、レシート表示項目のうちのキャンペーン対象商品（購入商品）の購入価格（１０００円）とレシート判断項目のうちの応募金額（５００円）とから、応募口数（１０００／５００＝２口）を割り出し、レシート表示項目のうちのキャンペーン対象商品（購入商品）の購入数（２個）とレシート判断項目のうちの必要購入数（１個）とから、応募口数（２／１＝２口）を割り出す。スマートフォン１１Ａは、割り出した応募口数を対象商品特定情報、キャンペーンサイト特定情報、キャンペーン特定情報、携帯端末特定情報に関連づけた状態でハードディスクに記憶する（応募口数記憶手段）。
【０１１６】
次に、スマートフォン１１Ａは、キャンペーン対象商品の累計購入金額を算出する（累計金額算出手段）。たとえば、既にキャンペーン対象商品を購入し、その金額が１５００円である場合、前回の購入額（１５００円）と今回の購入額（１０００円）を合計し、累計購入金額（１５００円＋１０００円＝２５００円）を算出する。スマートフォン１１Ａは、算出した累計購入金額を対象商品特定情報、キャンペーンサイト特定情報、キャンペーン特定情報、携帯端末特定情報に関連づけた状態でハードディスクに記憶する（累計金額記憶手段）。
【０１１７】
スマートフォン１１Ａは、キャンペーン対象商品の累計購入数を算出する（累計数算出手段）。たとえば、既にキャンペーン対象商品を購入し、その購入数が３個である場合、前回の購入数（３個）と今回の購入数（２個）を合計し、累計購入数（３個＋２個＝５個）を算出する。スマートフォン１１Ａは、算出した累計購入数を対象商品特定情報、キャンペーンサイト特定情報、キャンペーン特定情報、携帯端末特定情報に関連づけた状態でハードディスクに記憶する（累計数記憶手段）。
【０１１８】
キャンペーン応募システム１０は、キャンペーン対象商品の累計購入金額（またはキャンペーン対象役務の累計提供金額）を算出することで、レシート表示項目からスマートフォン１１Ａ（各携帯通信端末毎）の累計金額に対応する正確なキャンペーン応募口数を割り出すことができ、応募口数の漏れを防ぐことができる。また、キャンペーン対象商品の累計購入数（またはキャンペーン対象役務の累計提供数）を算出することで、レシート表示項目からスマートフォン１１Ａ（各携帯通信端末毎）の累計数に対応する正確なキャンペーン応募口数を割り出すことができ、応募口数の漏れを防ぐことができる。
【０１１９】
図１４は、キャンペーン応募画面５８の他の一例を示す図であり、図１５は、キャンペーン応募状況画面６４の一例を示す図である。図１４は、過去にキャンペーンへの応募実績がある場合の画面を示す。図２のキャンペーンサイト表示画面２０において応募実績のあるキャンペーンサイトをタップすると、図１４に示すキャンペーン応募画面５８がスマートフォン１１Ａのタッチパネルに表示される。
【０１２０】
図１４のキャンペーン情報画面５８には、キャンペーン詳細情報を［見る］ボタン５９、キャンペーン応募状況を［見る］ボタン６０、当選結果を［見る］ボタン６１、［応募する］ボタン６２、［応募しない］ボタン６３が表示される。［見る］ボタン５９をタップすると、タッチパネルにキャンペーンの詳細情報画面（図示せず）が表示される。［応募する］ボタン６２をタップすると、図４のレシート撮影画面２６が表示され、既述の手順によってキャンペーンに応募することができる。キャンペーンの詳細情報画面には、図３のキャンペーンの詳細情報の［見る］ボタン２３をタップしたときと同様の詳細情報が表示される。
【０１２１】
キャンペーン応募状況を［見る］ボタン６０をタップすると、図１５に示すキャンペーン応募状況画面６４がスマートフォン１１Ａのタッチパネルに表示される。図１５のキャンペーン応募状況画面６４には、応募状況メッセージ、算出した累計購入金額、算出した累計購入数、割り出した応募口数、換算したキャンペーンポイント、抽選日、［応募する］ボタン６５、［応募しない］ボタン６６が表示される（累計金額出力手段、累計数出力手段、応募口数出力手段、キャンペーンポイント出力手段）。利用者は、キャンペーン応募状況画面６４を見ることで、これまでの応募状況や抽選日を確認することができる。
【０１２２】
キャンペーン情報画面５８のキャンペーン当選結果の［見る］ボタン６１をクリックすると、キャンペーンの当選結果画面（図示せず）がスマートフォン１１Ａのタッチパネルに表示される。当選結果画面には、キャンペーンの当選の有無、キャンペーンの当選品、応募数、応募倍率、抽選日時等が表示される。利用者は、これまでに応募したキャンペーンの当選結果（当選の有無やキャンペーンの当選品、応募数、応募倍率、抽選日時等）を知ることができる。
【０１２３】
キャンペーン応募システム１０は、キャッシュレジスターから発行されたレシートのレシート画像データをスマートフォン１１Ａ（多機能携帯端末）からサーバ１４に送信することで、キャンペーンに応募することができるから、キャッシュレジスター（ＰＯＳレジ）にネットワーク構成機器を接続することなくキャンペーンを展開することができ、ネットワーク環境を利用して広範囲の地域でキャンペーンを実施することができる。
【０１２４】
キャンペーン応募システム１０は、シリアル番号を印刷したキャンペーンシールを商品に貼付する手間や時間、コストを省くことができ、キャンペーンを廉価に実施することができる。キャンペーン応募システム１０は、スマートフォン１１Ａ（多機能携帯端末）がレシート画像データに含まれるレシート表示項目とレシート必要項目とを比較し、レシート表示項目がレシート必要項目に該当する場合、レシート画像データのサーバ１４への送信を可能にするから、スマートフォン１１Ａの利用者がキャッシュレジスターから発行されたレシートを利用してキャンペーンに簡単に応募することができ、保有するスマートフォン１１Ａを利用して利用者がキャンペーンに気軽に参加することができる。
【０１２５】
図１６は、サーバ１４において行われるレシート受付手順の一例を示すフローチャートであり、図１７は、キャンペーン受付画面６７の一例を示す図である。キャンペーンの主催者またはキャンペーン応募システム１０の構築者は、既述のキャンペーン情報（ホームページ掲載情報、キャンペーンサイト特定情報、キャンペーン特定情報、キャンペーン実施情報、キャンペーン対象商品情報、キャンペーン対象役務情報）を設定する。キャンペーン情報は、入力装置からサーバ１４に入力される。サーバ１４は、キャンペーン情報を対象商品特定識別子や対象役務特定識別子、キャンペーンサイト特定識別子、キャンペーン特定識別子に関連づけた状態でハードディスクに記憶する（キャンペーン情報記憶手段）。
【０１２６】
キャンペーンの主催者またはキャンペーン応募システム１０の構築者は、レシートに表示された各種項目のうちのキャンペーンサイトにおけるキャンペーンの参加に必要なレシート必要項目をサーバ１４に設定する。各レシート必要項目は、入力装置からサーバ１４に入力される。サーバ１４は、各レシート必要項目を対象商品特定識別子や対象役務特定識別子、キャンペーンサイト特定識別子、キャンペーン特定識別子に関連づけた状態でハードディスクに記憶する（レシート必要項目記憶手段）。
【０１２７】
レシート必要項目には、商品の販売チャンネルまたは役務の提供チャンネル、店舗の名称、店舗の住所、店舗の電話番号、キャンペーン実施期間、キャンペーン対象商品名またはキャンペーン対象役務名、キャンペーンに応募可能なキャンペーン対象商品の応募金額またはキャンペーン対象役務の応募金額、キャンペーンに応募可能なキャンペーン対象商品の必要購入数またはキャンペーン対象役務の必要提供数がある。
【０１２８】
なお、それらの全てをレシート必要項目にする必要はなく、それらうちの少なくともキャンペーンを実施している店舗の電話番号、キャンペーン実施期間、キャンペーン対象商品名をレシート必要項目にすればよい。システム１０では、商品の販売チャンネル、店舗の名称（複数の店舗の各名称）、店舗の住所（複数の店舗の各住所）、店舗の電話番号（複数の店舗の各電話番号）、キャンペーン実施期間、キャンペーン対象商品名（複数種類のキャンペーン対象商品名）、キャンペーンに応募可能なキャンペーン対象商品の応募金額、キャンペーンに応募可能なキャンペーン対象商品の必要購入数をレシート必要項目とし、それらがサーバ１４のハードディスクに格納されているものとする。
【０１２９】
キャンペーンの主催者やシステム１０の構築者は、レシートに表示された各種項目のうちのレシート必要項目と比較するレシート表示項目の定義をサーバ１４に設定する。各レシート表示項目の定義は、入力装置からサーバ１４に入力される。サーバ１４は、各レシート表示項目の定義を対象商品特定識別子や対象役務特定識別子、キャンペーンサイト特定識別子、キャンペーン特定識別子に関連づけた状態でハードディスクに記憶する（レシート表示項目記憶手段）。
【０１３０】
レシート表示項目には、レシート画像データに含まれる商品の販売チャンネルまたは役務の提供チャンネル、レシート画像データに含まれる店舗の名称、レシート画像データに含まれる店舗の住所、レシート画像データに含まれる店舗の電話番号、レシート画像データに含まれる商品購入日時または役務提供日時、レシート画像データに含まれる購入商品の商品名または提供役務の役務名がある。
【０１３１】
なお、それらの全てをレシート表示項目にする必要はなく、それらうちの少なくとも店舗の電話番号、商品購入日時、購入商品の商品名をレシート表示項目にすればよい。システム１０では、販売チャンネル、店舗の名称、店舗の住所、店舗の電話番号、商品購入日時、購入商品の商品名をレシート表示項目とし、それらレシート表示項目の定義がサーバ１４のハードディスクに格納されているものとする。
【０１３２】
キャンペーンの主催者やシステム１０の構築者は、レシートに表示された各種項目のうちのキャンペーンサイトにおけるキャンペーンのキャンペーンポイントや応募口数を判断するためのポイント換算情報や応募口数判断情報をサーバ１４に設定する。ポイント換算情報や応募口数判断情報は、入力装置からサーバ１４に入力される。サーバ１４は、ポイント換算情報や応募口数判断情報を対象商品特定識別子や対象役務特定識別子、キャンペーンサイト特定識別子、キャンペーン特定識別子に関連づけた状態でハードディスクに記憶する（ポイント換算情報記憶手段、応募口数判断情報記憶手段）。
【０１３３】
サーバ１４は、キャンペーン応募アプリケーションをダウンロード（インストール）したスマートフォン１１Ａに最新（更新した）のキャンペーン情報（過去のキャンペーン情報を含む）、レシート必要項目、ポイント換算情報、応募口数判断情報を配信する（キャンペーン情報送信手段、レシート必要項目送信手段、ポイント換算情報送信手段、応募口数判断情報送信手段）。サーバ１４は、最新（更新した）のキャンペーン応募状況（過去のキャンペーン応募状況を含む）をスマートフォン１１Ａに送信する（応募状況送信手段）。サーバ１４は、最新（更新した）のキャンペーン当選結果（過去のキャンペーン当選結果を含む）をスマートフォン１１Ａに送信する（当選結果送信手段）。サーバ１４は、それら情報を所定の時間間隔（１時間間隔や２時間間隔、６時間間隔、１日間隔等）でスマートフォン１１Ａに配信する。
【０１３４】
サーバ１４は、スマートフォン１１Ａ（多機能携帯端末）から送信されたレシート画像データ（個人情報データを含む）を受信し（レシート画像データ受信手段）（Ｓ−２０）、受信したレシート画像データと個人情報データとをキャッシュメモリに一時的に保存する。サーバ１４は、スマートフォン１１Ａから送信されたレシート画像データからレシート表示項目（販売チャンネル、店舗の名称、店舗の住所、店舗の電話番号、商品購入日時、購入商品の商品名、購入商品の購入金額または購入商品の購入数）を抽出する。サーバ１４は、レシート表示項目を抽出した後、抽出したレシート表示項目と設定されたレシート必要項目とを比較する（レシート必要項目比較手段（レシート必要項目第１比較手段））。
【０１３５】
具体的には、ハードディスクに記憶した販売チャンネルとレシート画像データから抽出した販売チャンネルとを比較し、ハードディスクに記憶した店舗の名称とレシート画像データから抽出した店舗の名称とを比較するとともに、ハードディスクに記憶した店舗の住所とレシート画像データから抽出した店舗の住所とを比較する。さらに、ハードディスクに記憶した店舗の電話番号とレシート画像データから抽出した店舗の電話番号とを比較し、ハードディスクに記憶したキャンペーン実施期間とレシート画像データから抽出した商品購入日時とを比較するとともに、ハードディスクに記憶したキャンペーン対象商品名とレシート画像データから抽出した購入商品の商品名とを比較する。
【０１３６】
サーバ１４は、抽出したレシート表示項目と設定されたレシート必要項目とを比較した結果、レシート表示項目がレシート必要項目に該当するか否かを判断する（Ｓ−２１）。なお、サーバ１４は、レシート表示項目のうちの購入商品の商品名がレシート必要項目のうちのキャンペーン対象商品名に６０％以上一致した場合（好ましくは、７０％以上一致した場合）、購入商品の商品名（レシート表示項目）がキャンペーン対象商品名（レシート必要項目）に該当するものとする。たとえば、購入商品の商品名をレシート画像データから抽出したときに、カタカナの読み違いや濁音の読み違いがあったとしても、全体として６０％以上一致した場合、購入商品の商品名がキャンペーン対象商品名に該当するものとする。なお、一致条件は、６０〜１００％の範囲で変更することができる。
【０１３７】
サーバ１４は、レシート第１比較手段によってレシート表示項目とレシート必要項目とを比較した結果、レシート表示項目がレシート必要項目に該当しないと判断した場合（購入商品の商品名とキャンペーン対象商品名とが相違し、レシートにキャンペーン対象商品が含まれていない場合）、レシートエラーメッセージ表示指示信号をスマートフォン１１Ａに送信する（レシートエラーメッセージ送信手段）（Ｓ−２２）。スマートフォン１１Ａのタッチパネルには、図９と同様のエラーメッセージ表示画面が表示される。
【０１３８】
キャンペーン応募システム１０は、レシート表示項目がレシート必要項目に該当しない場合、キャンペーンの応募時にサーバ１４がレシートエラーメッセージ表示指示をスマートフォン１１Ａ（多機能携帯端末）に送信するから、キャンペーン対象商品やキャンペーン対象役務でないこと等をスマートフォン１１Ａの利用者に速やかに知らせることができ、スマートフォン１１Ａの利用者がキャンペーンへの応募の可否を迅速に知ることができる。
【０１３９】
サーバ１４は、既にハードディスクに記憶したレシート画像データとスマートフォン１１Ａから送信されたレシート画像データ（あらたに送信されたレシートのレシート画像データ）とを比較する（レシート比較手段（レシート第２比較手段））。サーバ１４は、それらレシート画像データどうしを比較した結果、それらレシート画像データに含まれるレシート表示項目が一致した場合、レシート重複メッセージ表示指示信号をスマートフォン１１Ａに送信する（レシート重複メッセージ送信手段）（Ｓ−２３）。スマートフォン１１Ａのタッチパネルには、図１０と同様のレシート重複メッセージ表示画面が表示される。
【０１４０】
キャンペーン応募システム１０は、レシート表示項目が一致した場合、キャンペーンの応募時にサーバ１４がレシート重複メッセージ表示指示をスマートフォン１１Ａ（多機能携帯端末）に送信するから、二重応募をスマートフォン１１Ａの利用者に速やかに知らせることができ、スマートフォン１１Ａの利用者が同一のレシートによる応募を迅速に知ることができる。
【０１４１】
サーバ１４は、レシート表示項目とレシート必要項目とを比較した結果、レシート表示項目がレシート必要項目に該当し、レシート画像データを比較した結果、それらレシート画像データに含まれるレシート表示項目が一致しない場合、レシート必要項目に該当した各レシート表示項目が含まれるレシート画像データをキャンペーンサイト特定情報、キャンペーン特定情報、携帯端末特定情報に関連づけた状態でハードディスクに記憶する（レシート画像データ記憶手段）。
【０１４２】
サーバ１４は、レシート画像データを記憶した後、キャンペーンにおけるレシート受付メッセージをスマートフォン１１Ａに送信する（受付メッセージ送信手段）（Ｓ−２５）。スマートフォン１１Ａのタッチパネルには、図１７に示すキャンペーン受付画面６７が表示される。図１７のキャンペーン受付画面６７には、応募受付メッセージ、［応募する］ボタン６８、［応募しない］ボタン６９が表示される。キャンペーン応募システム１０は、レシート表示項目がレシート必要項目に該当し、レシート画像データが重複しない場合、キャンペーンにおけるレシート受付メッセージをスマートフォン１１Ａに送信するから、スマートフォン１１Ａの利用者がキャンペーンへの応募の可否を迅速に知ることができる。
【０１４３】
サーバ１４は、ポイント換算情報を利用してキャンペーン対象商品の購入金額をキャンペーンポイントに換算する（キャンペーンポイント換算手段）。サーバ１４は、換算したキャンペーンポイントを対象商品特定情報、キャンペーンサイト特定情報、キャンペーン特定情報、携帯端末特定情報に関連づけた状態でハードディスクに記憶する（キャンペーンポイント記憶手段）。サーバ１４は、換算したキャンペーンポイントをスマートフォン１１Ａに送信する（キャンペーンポイント送信手段）。スマートフォン１１Ａは、サーバ１４から送信されたキャンペーンポイントと独自に換算したキャンペーンポイントとを比較し、それらキャンペーンポイントが相違している場合、サーバ１４から送信されたキャンペーンポイントを採用し、独自に換算したキャンペーンポイントをサーバ１４から送信されたキャンペーンポイントに変更（更新）する。
【０１４４】
サーバ１４は、応募口数判断情報を利用してキャンペーン対象商品の購入金額に対するキャンペーンの応募口数を割り出す（応募口数割出手段）。サーバ１４は、割り出したキャンペーンの応募口数を対象商品特定情報、キャンペーンサイト特定情報、キャンペーン特定情報、携帯端末特定情報に関連づけた状態でハードディスクに記憶する（応募口数記憶手段）。サーバ１４は、割り出したキャンペーンの応募口数をスマートフォン１１Ａに送信する（応募口数送信手段）。
【０１４５】
スマートフォン１１Ａは、サーバ１４から送信された応募口数と独自に割り出した応募口数とを比較し、それら応募口数が相違している場合、サーバ１４から送信された応募口数を採用し、独自に割り出した応募口数をサーバ１４から送信された応募口数に変更（更新）する。キャンペーン応募システム１０は、サーバ１４がキャンペーンの応募口数を割り出し、その応募口数をスマートフォン１１Ａに送信し、応募口数が相違している場合、スマートフォン１１Ａがサーバ１４から送信された応募口数に変更するから、スマートフォン１１Ａにおける応募口数の水増しを防ぐことができる。
【０１４６】
サーバ１４は、各キャンペーンサイトにおけるキャンペーン対象商品の累計購入金額を算出する（累計金額算出手段）。サーバ１４は、算出したキャンペーン対象商品の累計購入金額を対象商品特定情報、キャンペーンサイト特定情報、キャンペーン特定情報、携帯端末特定情報に関連づけた状態でハードディスクに記憶する（累計金額記憶手段）。サーバ１４は、算出したキャンペーン対象商品の累計購入金額をスマートフォン１１Ａに送信する（累計金額送信手段）。スマートフォン１１Ａは、サーバ１４から送信された累計購入金額と独自に算出した累計購入金額とを比較し、それら累計購入金額が相違している場合、サーバ１４から送信された累計購入金額を採用し、独自に算出した累計購入金額をサーバ１４から送信された累計購入金額に変更（更新）する。
【０１４７】
サーバ１４は、各キャンペーンサイトにおけるキャンペーン対象商品の累計購入数を算出する（累計数算出手段）。サーバ１４は、算出したキャンペーン対象商品の累計購入数を対象商品特定情報、キャンペーンサイト特定情報、キャンペーン特定情報、携帯端末特定情報に関連づけた状態でハードディスクに記憶する（累計数記憶手段）。サーバ１４は、算出したキャンペーン対象商品の累計購入数をスマートフォン１１Ａに送信する（累計数送信手段）。スマートフォン１１Ａは、サーバ１４から送信された累計購入数と独自に算出した累計購入数とを比較し、それら累計購入数が相違している場合、サーバ１４から送信された累計購入数を採用し、独自に算出した累計購入数をサーバ１４から送信された累計購入数に変更（更新）する。
【０１４８】
サーバ１４は、スマートフォン１１Ａから送信されたレシート画像データに含まれる電子マネー利用データまたはクレジット利用データを抽出する。キャンペーンの主催者は、抽出した電子マネー利用データからスマートフォン１１Ａの利用者が利用する電子マネー提供会社を知ることができ、抽出したクレジット利用データからスマートフォン１１Ａの利用者が利用するクレジット会社やカード会社を知ることができる。キャンペーン応募システム１０は、キャンペーンの主催者と電子マネー提供会社やクレジット会社、カード会社とが共同して独自のキャンペーンを実施することができ、キャンペーンの主催者の商品の販売や役務の提供の増加を図ることができるとともに、電子マネー提供会社やクレジット会社、カード会社の利用の販促を図ることができる。
【符号の説明】
【０１４９】
１０    キャンペーン応募システム
１１Ａ〜１１Ｃ  スマートフォン（多機能携帯端末）
１２Ａ〜１２Ｃ  タブレットＰＣ（多機能携帯端末）
１３    インターネット
１４    サーバ
【図１】
2016057676.tif 000003
【図２】
2016057676.tif 000004
【図３】
2016057676.tif 000005
【図４】
2016057676.tif 000006
【図５】
2016057676.tif 000007
【図６】
2016057676.tif 000008
【図７】
2016057676.tif 000009
【図８】
2016057676.tif 000010
【図９】
2016057676.tif 000011
【図１０】
2016057676.tif 000012
【図１１】
2016057676.tif 000013
【図１２】
2016057676.tif 000014
【図１３】
2016057676.tif 000015
【図１４】
2016057676.tif 000016
【図１５】
2016057676.tif 000017
【図１６】
2016057676.tif 000018
【図１７】
2016057676.tif 000019